(57)【特許請求の範囲】
【請求項１】
他の情報再生装置と通信可能な情報再生装置であって、
可搬性情報記録媒体に記録されている再生対象ファイルである主コンテンツとインターネット上から取得されたネットワークファイルである追加コンテンツとを再生するプレーヤ部と、
インターネットに接続するためのネットワーク接続部と、
前記ネットワーク接続部を介して前記他の情報再生装置にネットワークファイルエントリ送信要求を送信する送受信部と、
ネットワークファイルエントリをネットワークファイルテーブルとして記憶するネットワークファイルテーブル記憶部と、
前記送受信部に前記ネットワークファイルエントリ送信要求を前記他の情報再生装置宛てで送信させる処理と、前記送受信部が前記ネットワークファイルエントリを受信したときに、前記受信されたネットワークファイルエントリを用いて前記ネットワークファイルテーブルを更新させる処理とを制御する中央制御部と、
前記ネットワークファイルを記憶するネットワークファイル記憶部と、
前記ネットワークファイルテーブル記憶部に記憶されている前記ネットワークファイルエントリに基づいて、インターネット上から前記ネットワーク接続部を介して前記ネットワークファイルを取得し、前記取得されたネットワークファイルを前記ネットワークファイル記憶部に記憶させるネットワークファイル事前取得部と
を有し、
前記中央制御部は、前記他の情報再生装置による前記可搬性情報記録媒体の再生時において前記他の情報再生装置が前記可搬性情報記録媒体に記録されているコンテンツアプリの実行に伴って発行するインターネット接続要求に含まれるインターネット接続先情報として抽出したネットワークファイルエントリを、前記送受信部が受信し、前記ネットワークファイルテーブル記憶部に記憶させることと、
前記プレーヤ部における前記可搬性情報記録媒体の再生時に、前記可搬性情報記録媒体に記録されている再生対象ファイルに対応するネットワークファイルエントリが前記ネットワークファイルテーブルに存在すると判断した場合に、前記再生対象ファイルに対応する前記ネットワークファイルエントリによって特定されるネットワークファイルを、前記ネットワークファイル記憶部から読み出し、前記プレーヤ部に提供する代理応答部を含む
ことを特徴とする情報再生装置。
【請求項２】
前記プレーヤ部における前記可搬性情報記録媒体の再生時に、前記可搬性情報記録媒体に記録されているコンテンツアプリの実行に伴って発行されるインターネット接続要求に含まれるインターネット接続先情報としてのネットワークファイルエントリを抽出するアクセス解析部と、
前記アクセス解析部によって抽出された前記ネットワークファイルエントリを記憶するネットワークファイルエントリ記憶部と、
前記抽出されたネットワークファイルエントリを前記ネットワーク接続部を介して送信する他の送受信部と
をさらに有することを特徴とする請求項１に記載の情報再生装置。
【請求項３】
前記プレーヤ部における前記可搬性情報記録媒体の再生時に、前記可搬性情報記録媒体に記録されているコンテンツアプリの実行に伴って発行されるインターネット接続要求に含まれるインターネット接続先情報としてのネットワークファイルエントリを抽出し、前記ネットワークファイルテーブル記憶部に記憶させるアクセス解析部をさらに有し、
前記送受信部は、前記抽出されたネットワークファイルエントリを前記ネットワーク接続部を介して送信する
ことを特徴とする請求項１に記載の情報再生装置。
【請求項４】
前記情報再生装置は、前記他の情報再生装置としても使用できることを特徴とする請求項２または３に記載の情報再生装置。
【請求項５】
前記情報再生装置は、移動しながら使用可能な映像再生装置であり、前記他の情報再生装置は決められた場所に設置されて使用されることを特徴とする請求項１から４のいずれか１項に記載の情報再生装置。
【請求項６】
前記情報再生装置は、移動しながら使用可能な映像再生装置であり、前記他の情報再生装置は移動しながら使用可能な映像再生装置であることを特徴とする請求項１から４のいずれか１項に記載の情報再生装置。
【請求項７】
前記可搬性情報記録媒体は、光学ディスクであることを特徴とする請求項１から６のいずれか１項に記載の情報再生装置。
【請求項８】
互いに通信可能な第１の情報再生装置及び第２の情報再生装置を有する情報再生システムであって、
前記第１の情報再生装置は、
インターネットに接続するための第１のネットワーク接続部と、
可搬性情報記録媒体に記録されている再生対象ファイルである主コンテンツとインターネット上から取得されたネットワークファイルである追加コンテンツとを再生する第１のプレーヤ部と、
前記第１のプレーヤ部における前記可搬性情報記録媒体の再生時に、前記可搬性情報記録媒体に記録されているコンテンツアプリの実行に伴って発行されるインターネット接続要求に含まれるインターネット接続先情報としてのネットワークファイルエントリを抽出するアクセス解析部と、
前記アクセス解析部によって抽出された前記ネットワークファイルエントリを記憶するネットワークファイルエントリ記憶部と、
前記第１のネットワーク接続部を介して情報を送信する第１の送受信部と、
ネットワークファイルエントリ送信要求を受信したときに、前記第１の送受信部に、前記ネットワークファイルエントリ記憶部に記憶されている前記ネットワークファイルエントリを送信させる第１の中央制御部と
を有し、
前記第２の情報再生装置は、
インターネットに接続するための第２のネットワーク接続部と、
前記可搬性情報記録媒体に記録されている再生対象ファイルである主コンテンツとインターネット上から取得されたネットワークファイルである追加コンテンツとを再生する第２のプレーヤ部と、
前記第２のネットワーク接続部を介して情報を送受信する第２の送受信部と、
前記ネットワークファイルエントリをネットワークファイルテーブルとして記憶するネットワークファイルテーブル記憶部と、
前記第２の送受信部に前記ネットワークファイルエントリ送信要求を前記第１の情報再生装置宛てで送信させる処理と、前記第１の情報再生装置から送信された前記ネットワークファイルエントリを用いて前記ネットワークファイルテーブルを更新させる処理とを制御する第２の中央制御部と、
ネットワークファイルを記憶するネットワークファイル記憶部と、
前記ネットワークファイルテーブルとして記憶されている前記ネットワークファイルエントリに基づいて、インターネット上から前記第２のネットワーク接続部を介して前記ネットワークファイルを取得し、前記取得されたネットワークファイルを前記ネットワークファイル記憶部に記憶させるネットワークファイル事前取得部と
を有し、
前記第２の中央制御部は、前記第２のプレーヤ部における前記可搬性情報記録媒体の再生時に、前記可搬性情報記録媒体に記録されているコンテンツアプリに基づくインターネット接続要求に含まれるネットワークファイルエントリが、前記ネットワークファイルテーブルに存在すると判断した場合に、前記ネットワークファイルテーブルに存在すると判断された前記ネットワークファイルエントリによって特定されるネットワークファイルを、前記ネットワークファイル記憶部から読み出し、前記第２のプレーヤ部に提供する
ことを特徴とする情報再生システム。
【請求項９】
互いに通信可能な第１の情報再生装置、アクセス解析装置、及び第２の情報再生装置を有する情報再生システムであって、
前記第１の情報再生装置は、
前記アクセス解析装置を介してインターネットに接続するための第１のネットワーク接続部と、
前記第１のネットワーク接続部から、インターネット上からファイルを取得するためのネットワークファイル取得部と、
可搬性情報記録媒体に記録されている再生対象ファイルである主コンテンツとインターネット上から取得されたネットワークファイルである追加コンテンツとを再生する再生制御部と、
を有し、
前記アクセス解析装置は、
前記第１の情報再生装置からのインターネット接続を受け付ける内部ネットワーク接続部と、
インターネットに接続するための外部ネットワーク接続部と、
インターネット接続要求を解析して、前記インターネット接続要求に含まれるインターネット接続先情報としてのネットワークファイルエントリを抽出するアクセス解析部と、
前記アクセス解析部によって抽出された前記ネットワークファイルエントリを記憶するネットワークファイルエントリ記憶部と、
前記外部ネットワーク接続部を介して情報を送信する第１の送受信部と、
ネットワークファイルエントリ送信要求を受信したときに、前記第１の送受信部に、前記ネットワークファイルエントリ記憶部に記憶されている前記ネットワークファイルエントリを送信させる第１の中央制御部と
を有し、
前記第２の情報再生装置は、
インターネットに接続するための第２のネットワーク接続部と、
前記可搬性情報記録媒体に記録されている再生対象ファイルである主コンテンツとインターネット上から取得されたネットワークファイルである追加コンテンツとを再生する第２のプレーヤ部と、
前記第２のネットワーク接続部を介して情報を送受信する第２の送受信部と、
前記ネットワークファイルエントリをネットワークファイルテーブルとして記憶するネットワークファイルテーブル記憶部と、
前記第２の送受信部に前記ネットワークファイルエントリ送信要求を前記アクセス解析装置宛てで送信させる処理と、前記アクセス解析装置から送信された前記ネットワークファイルエントリを用いて前記ネットワークファイルテーブルを更新させる処理とを制御する第２の中央制御部と、
ネットワークファイルを記憶するネットワークファイル記憶部と、
前記ネットワークファイルテーブルとして記憶されている前記ネットワークファイルエントリに基づいて、インターネット上から前記第２のネットワーク接続部を介して前記ネットワークファイルを取得し、前記取得されたネットワークファイルを前記ネットワークファイル記憶部に記憶させるネットワークファイル事前取得部と
を有し、
前記第２の中央制御部は、前記第２のプレーヤ部における前記可搬性情報記録媒体の再生時に、前記可搬性情報記録媒体に記録されているコンテンツアプリに基づくインターネット接続要求に含まれるネットワークファイルエントリが、前記ネットワークファイルテーブルに存在すると判断した場合に、前記ネットワークファイルテーブルに存在すると判断された前記ネットワークファイルエントリによって特定されるネットワークファイルを、前記ネットワークファイル記憶部から読み出し、前記第２のプレーヤ部に提供する
ことを特徴とする情報再生システム。
【請求項１０】
前記アクセス解析装置は、
前記内部ネットワーク接続部に渡されたインターネット接続要求の要求元が、前記第１の情報再生装置が実行するコンテンツアプリか否かを判別するアクセス元判別部をさらに有し、
前記アクセス元判別部によって、前記要求元がコンテンツアプリと判別された接続要求に対してのみアクセス解析を行う
ことを特徴とする請求項９に記載の情報再生システム。
【請求項１１】
前記アクセス解析装置は、
前記外部ネットワーク接続部に渡されたネットワークファイルの内容を解析するネットワークファイル解析部をさらに有し、
前記ネットワークファイル解析部の解析の結果、前記ネットワークファイル内にネットワーク接続先情報が得られた場合に、前記ネットワーク接続先情報をもとにネットワークファイルエントリを抽出する
ことを特徴とする請求項９に記載の情報再生システム。
【請求項１２】
前記第２の中央制御部は、前記第２のプレーヤ部における前記可搬性情報記録媒体の再生時に、前記可搬性情報記録媒体に記録されているコンテンツアプリに基づくインターネット接続要求に含まれるネットワークファイルエントリが、前記ネットワークファイルテーブルに存在しないと判断した場合に、前記ネットワークファイルテーブルに存在しないと判断された前記ネットワークファイルエントリによって特定されるネットワークファイルを、インターネット上から取得し、前記第２のプレーヤ部に提供することを特徴とする請求項８から１１のいずれか１項に記載の情報再生システム。
【請求項１３】
前記第２の情報再生装置は、前記第２のネットワーク接続部が、インターネットと通信可能か否かを判定するネットワーク接続判定部をさらに有し、
前記第２の中央制御部は、前記ネットワーク接続判定部が通信可能と判定したとき、前記ネットワークファイルエントリ送信要求の送信と、前記ネットワークファイル事前取得部による前記ネットワークファイルの取得を実行させる
ことを特徴とする請求項８から１２のいずれか１項に記載の情報再生システム。
【請求項１４】
互いに通信可能な第１の情報再生装置及び第２の情報再生装置を有するシステムによって実行される情報再生方法であって、
前記第１の情報再生装置及び前記第２の情報再生装置は、可搬性情報記録媒体に記録されている再生対象ファイルである主コンテンツとインターネット上から取得されたネットワークファイルである追加コンテンツとを再生する第１のプレーヤ部及び第２のプレーヤ部をそれぞれ有し、
前記情報再生方法は、
前記第１の情報再生装置における前記可搬性情報記録媒体の再生時に、前記可搬性情報記録媒体に記録されているコンテンツアプリの実行に伴って発行されるインターネット接続要求に含まれるインターネット接続先情報としてのネットワークファイルエントリをネットワークファイルエントリ記憶部に記憶させる工程と、
前記第２の情報再生装置から前記第１の情報再生装置に、ネットワークファイルエントリ送信要求を送信する工程と、
前記ネットワークファイルエントリ送信要求を受信した前記第１の情報再生装置から前記第２の情報再生装置に、前記ネットワークファイルエントリ記憶部に記憶されている前記ネットワークファイルエントリを送信する工程と、
前記ネットワークファイルエントリを受信した前記第２の情報再生装置において、前記受信されたネットワークファイルエントリをネットワークファイルテーブルとしてネットワークファイルテーブル記憶部に記憶させる工程と、
前記第２の情報再生装置において、前記ネットワークファイルテーブル記憶部に記憶されている前記ネットワークファイルエントリに基づいてインターネット上からネットワークファイルを取得し、前記取得されたネットワークファイルをネットワークファイル記憶部に記憶させる工程と、
前記第２のプレーヤ部における前記可搬性情報記録媒体の再生時に、前記可搬性情報記録媒体に記録されている再生対象ファイルに対応するネットワークファイルエントリが前記ネットワークファイルテーブルに存在すると判断した場合に、前記再生対象ファイルに対応する前記ネットワークファイルエントリによって特定されるネットワークファイルを、前記ネットワークファイル記憶部から読み出し、前記第２のプレーヤ部に提供する代理応答を実行する工程と
を有することを特徴とする情報再生方法。
【請求項１５】
互いに通信可能な第１の情報再生装置、アクセス解析装置、及び第２の情報再生装置を有するシステムによって実行される情報再生方法であって、
前記第１の情報再生装置及び前記第２の情報再生装置は、可搬性情報記録媒体に記録されている再生対象ファイルである主コンテンツとインターネット上から取得されたネットワークファイルである追加コンテンツとを再生する第１のプレーヤ部及び第２のプレーヤ部をそれぞれ有し、
前記情報再生方法は、
前記第１の情報再生装置におけるインターネット接続要求を、前記アクセス解析装置を介してインターネットに送信する工程と、
前記アクセス解析装置が、インターネット接続要求に含まれるインターネット接続先情報としてのネットワークファイルエントリをネットワークファイルエントリ記憶部に記憶させる工程と、
前記第２の情報再生装置から前記アクセス解析装置に、ネットワークファイルエントリ送信要求を送信する工程と、
前記ネットワークファイルエントリ送信要求を受信した前記アクセス解析装置から前記第２の情報再生装置に、前記ネットワークファイルエントリ記憶部に記憶されている前記ネットワークファイルエントリを送信する工程と、
前記ネットワークファイルエントリを受信した前記第２の情報再生装置において、前記受信されたネットワークファイルエントリをネットワークファイルテーブルとしてネットワークファイルテーブル記憶部に記憶させる工程と、
前記第２の情報再生装置において、前記ネットワークファイルテーブル記憶部に記憶されている前記ネットワークファイルエントリに基づいてインターネット上からネットワークファイルを取得し、前記取得されたネットワークファイルをネットワークファイル記憶部に記憶させる工程と、
前記第２のプレーヤ部における前記可搬性情報記録媒体の再生時に、前記可搬性情報記録媒体に記録されている再生対象ファイルに対応するネットワークファイルエントリが前記ネットワークファイルテーブルに存在すると判断した場合に、前記再生対象ファイルに対応する前記ネットワークファイルエントリによって特定されるネットワークファイルを、前記ネットワークファイル記憶部から読み出し、前記第２のプレーヤ部に提供する代理応答を実行する工程と
を有することを特徴とする情報再生方法。
【請求項１６】
前記アクセス解析装置が、前記アクセス解析装置に渡されたインターネット接続要求の要求元がコンテンツアプリと判別された接続要求に対してのみアクセス解析を行う工程をさらに有することを特徴とする請求項１５に記載の情報再生方法。
【請求項１７】
前記アクセス解析装置が、ダウンロードされたネットワークファイルの解析の結果、前記ネットワークファイル内にネットワーク接続先情報が得られた場合に、前記ネットワーク接続先情報をもとにネットワークファイルエントリを抽出する工程をさらに有することを特徴とする請求項１５に記載の情報再生方法。
【請求項１８】
前記第２のプレーヤ部における前記可搬性情報記録媒体の再生時に、前記可搬性情報記録媒体に記録されている再生対象ファイルに対応するネットワークファイルエントリが前記ネットワークファイルテーブルに存在しないと判断した場合に、前記可搬性情報記録媒体に記録されているコンテンツアプリに基づくインターネット接続要求に含まれるネットワークファイルエントリによって特定されるネットワークファイルを、インターネット上から取得し、前記第２のプレーヤ部に提供する工程を有することを特徴とする請求項１４から１７のいずれか１項に記載の情報再生方法。
【請求項１９】
前記第２の情報再生装置は、インターネットと通信可能であるときに、前記ネットワークファイルエントリ送信要求の送信と、前記ネットワークファイルの取得を実行することを特徴とする請求項１４から１８のいずれか１項に記載の情報再生方法。
【発明の詳細な説明】
【技術分野】
【０００１】
本発明は、光学ディスク等の可搬性情報記録媒体に記録されている再生対象ファイル（主コンテンツ）と可搬性情報記録媒体に記録されているコンテンツアプリの要求に応じて取得されたネットワークファイル（追加コンテンツ）とを再生するための情報再生システム、情報再生方法、情報再生装置、及びアクセス解析装置に関するものである。
【背景技術】
【０００２】
ＲＳＥ（Ｒｅａｒ  Ｓｅａｔ  Ｅｎｔｅｒｔａｉｎｍｅｎｔ）システムなどの車載機器として、ＢＤ（Ｂｌｕ−ｒａｙ  Ｄｉｓｃ（登録商標））の読み出し専用規格であるＢＤ−ＲＯＭを再生することができる映像再生装置である車載ＢＤプレーヤが使用されている。車載ＢＤプレーヤは、ＢＤ−ＲＯＭに記録されている再生対象ファイル（主コンテンツ）を再生するだけでなく、ＢＤ−ＲＯＭに記録されているコンテンツアプリとしてのＪａｖａ（登録商標）プログラムを実行することによって、インターネット上から取得されたネットワークファイル（追加コンテンツ）を、主コンテンツと関連付けて（例えば、同期して）再生することができる。【０００３】
しかし、車載ＢＤプレーヤは、有線通信に比べて回線速度が遅い無線通信によってインターネット接続し、しかも、移動中にはインターネット接続の遮断が発生し易いので、ＢＤ−ＲＯＭディスクに記録されているＪａｖａ（登録商標）プログラムが必要とする時点までに、インターネット上からの必要なネットワークファイルのダウンロードを完了できないケースが発生し得る。【０００４】
このようなケースの対策として、光学ディスクが挿入されたならば直ちに、この挿入された光学ディスクの再生中にインターネットから取得要求され得る情報の全てを無線通信によって先行的にダウンロードして記憶する車載映像再生装置の提案がある（例えば、特許文献１参照）。
【先行技術文献】
【特許文献】
【０００５】
【特許文献１】特開２００９−２５３８７８号公報（例えば、要約、図１）
【発明の概要】
【発明が解決しようとする課題】
【０００６】
しかしながら、特許文献１に記載された車載映像再生装置は、光学ディスクが挿入されたときに車載映像再生装置がインターネット接続できない状態であった場合、又は、光学ディスクが挿入された直後に車載映像再生装置がインターネット接続できなくなった場合に、インターネット上から先行的に必要な情報を取得することができないという問題がある。【０００７】
また、特許文献１に記載された車載映像再生装置は、光学ディスクが挿入されたときに車載映像再生装置がインターネット接続できる状態であったとしても、無線通信によるインターネット接続の回線速度が遅いため、光学ディスクの挿入から再生開始までに長時間を要することが頻発するという問題がある。【０００８】
そこで、本発明は、上記従来技術の課題を解決するためになされたものであり、その目的は、可搬性情報記録媒体の再生時に、可搬性情報記録媒体に記録されている再生対象ファイルとコンテンツアプリの要求に応じて取得されたネットワークファイルとを再生することができ、このような再生を迅速に開始することができる情報再生システム、情報再生方法、情報再生装置、及びアクセス解析装置を提供することを目的とする。
【課題を解決するための手段】
【０００９】
本発明の一態様に係る情報再生装置は、他の情報再生装置と通信可能な情報再生装置であって、可搬性情報記録媒体に記録されている再生対象ファイルである主コンテンツとインターネット上から取得されたネットワークファイルである追加コンテンツとを再生するプレーヤ部と、インターネットに接続するためのネットワーク接続部と、前記ネットワーク接続部を介して前記他の情報再生装置にネットワークファイルエントリ送信要求を送信する送受信部と、ネットワークファイルエントリをネットワークファイルテーブルとして記憶するネットワークファイルテーブル記憶部と、前記送受信部に前記ネットワークファイルエントリ送信要求を前記他の情報再生装置宛てで送信させる処理と、前記送受信部が前記ネットワークファイルエントリを受信したときに、前記受信されたネットワークファイルエントリを用いて前記ネットワークファイルテーブルを更新させる処理とを制御する中央制御部と、前記ネットワークファイルを記憶するネットワークファイル記憶部と、前記ネットワークファイルテーブル記憶部に記憶されている前記ネットワークファイルエントリに基づいて、インターネット上から前記ネットワーク接続部を介して前記ネットワークファイルを取得し、前記取得されたネットワークファイルを前記ネットワークファイル記憶部に記憶させるネットワークファイル事前取得部とを有し、前記中央制御部は、前記他の情報再生装置による前記可搬性情報記録媒体の再生時において前記他の情報再生装置が前記可搬性情報記録媒体に記録されているコンテンツアプリの実行に伴って発行するインターネット接続要求に含まれるインターネット接続先情報として抽出したネットワークファイルエントリを、前記送受信部が受信し、前記ネットワークファイルテーブル記憶部に記憶させることと、前記プレーヤ部における前記可搬性情報記録媒体の再生時に、前記可搬性情報記録媒体に記録されている再生対象ファイルに対応するネットワークファイルエントリが前記ネットワークファイルテーブルに存在すると判断した場合に、前記再生対象ファイルに対応する前記ネットワークファイルエントリによって特定されるネットワークファイルを、前記ネットワークファイル記憶部から読み出し、前記プレーヤ部に提供する代理応答部を含むことを特徴とする。
【００１０】
本発明の他の態様に係る情報再生システムは、互いに通信可能な第１の情報再生装置及び第２の情報再生装置を有する情報再生システムであって、前記第１の情報再生装置は、インターネットに接続するための第１のネットワーク接続部と、可搬性情報記録媒体に記録されている再生対象ファイルである主コンテンツとインターネット上から取得されたネットワークファイルである追加コンテンツとを再生する第１のプレーヤ部と、前記第１のプレーヤ部における前記可搬性情報記録媒体の再生時に、前記可搬性情報記録媒体に記録されているコンテンツアプリの実行に伴って発行されるインターネット接続要求に含まれるインターネット接続先情報としてのネットワークファイルエントリを抽出するアクセス解析部と、前記アクセス解析部によって抽出された前記ネットワークファイルエントリを記憶するネットワークファイルエントリ記憶部と、前記第１のネットワーク接続部を介して情報を送信する第１の送受信部と、ネットワークファイルエントリ送信要求を受信したときに、前記第１の送受信部に、前記ネットワークファイルエントリ記憶部に記憶されている前記ネットワークファイルエントリを送信させる第１の中央制御部とを有し、前記第２の情報再生装置は、インターネットに接続するための第２のネットワーク接続部と、前記可搬性情報記録媒体に記録されている再生対象ファイルである主コンテンツとインターネット上から取得されたネットワークファイルである追加コンテンツとを再生する第２のプレーヤ部と、前記第２のネットワーク接続部を介して情報を送受信する第２の送受信部と、前記ネットワークファイルエントリをネットワークファイルテーブルとして記憶するネットワークファイルテーブル記憶部と、前記第２の送受信部に前記ネットワークファイルエントリ送信要求を前記第１の情報再生装置宛てで送信させる処理と、前記第１の情報再生装置から送信された前記ネットワークファイルエントリを用いて前記ネットワークファイルテーブルを更新させる処理とを制御する第２の中央制御部と、ネットワークファイルを記憶するネットワークファイル記憶部と、前記ネットワークファイルテーブルとして記憶されている前記ネットワークファイルエントリに基づいて、インターネット上から前記第２のネットワーク接続部を介して前記ネットワークファイルを取得し、前記取得されたネットワークファイルを前記ネットワークファイル記憶部に記憶させるネットワークファイル事前取得部とを有し、前記第２の中央制御部は、前記第２のプレーヤ部における前記可搬性情報記録媒体の再生時に、前記可搬性情報記録媒体に記録されているコンテンツアプリに基づくインターネット接続要求に含まれるネットワークファイルエントリが、前記ネットワークファイルテーブルに存在すると判断した場合に、前記ネットワークファイルテーブルに存在すると判断された前記ネットワークファイルエントリによって特定されるネットワークファイルを、前記ネットワークファイル記憶部から読み出し、前記第２のプレーヤ部に提供することを特徴とする。
【００１１】
本発明の他の態様に係る情報再生方法は、互いに通信可能な第１の情報再生装置及び第２の情報再生装置を有するシステムによって実行される情報再生方法であって、前記第１の情報再生装置及び前記第２の情報再生装置は、可搬性情報記録媒体に記録されている再生対象ファイルである主コンテンツとインターネット上から取得されたネットワークファイルである追加コンテンツとを再生する第１のプレーヤ部及び第２のプレーヤ部をそれぞれ有し、前記情報再生方法は、前記第１の情報再生装置における前記可搬性情報記録媒体の再生時に、前記可搬性情報記録媒体に記録されているコンテンツアプリの実行に伴って発行されるインターネット接続要求に含まれるインターネット接続先情報としてのネットワークファイルエントリをネットワークファイルエントリ記憶部に記憶させる工程と、前記第２の情報再生装置から前記第１の情報再生装置に、ネットワークファイルエントリ送信要求を送信する工程と、前記ネットワークファイルエントリ送信要求を受信した前記第１の情報再生装置から前記第２の情報再生装置に、前記ネットワークファイルエントリ記憶部に記憶されている前記ネットワークファイルエントリを送信する工程と、前記ネットワークファイルエントリを受信した前記第２の情報再生装置において、前記受信されたネットワークファイルエントリをネットワークファイルテーブルとしてネットワークファイルテーブル記憶部に記憶させる工程と、前記第２の情報再生装置において、前記ネットワークファイルテーブル記憶部に記憶されている前記ネットワークファイルエントリに基づいてインターネット上からネットワークファイルを取得し、前記取得されたネットワークファイルをネットワークファイル記憶部に記憶させる工程と、前記第２のプレーヤ部における前記可搬性情報記録媒体の再生時に、前記可搬性情報記録媒体に記録されている再生対象ファイルに対応するネットワークファイルエントリが前記ネットワークファイルテーブルに存在すると判断した場合に、前記再生対象ファイルに対応する前記ネットワークファイルエントリによって特定されるネットワークファイルを、前記ネットワークファイル記憶部から読み出し、前記第２のプレーヤ部に提供する代理応答を実行する工程とを有することを特徴とする。
【００１２】
本発明の他の態様に係る情報再生システムは、互いに通信可能な第１の情報再生装置、アクセス解析装置、及び第２の情報再生装置を有する情報再生システムであって、前記第１の情報再生装置は、前記アクセス解析装置を介してインターネットに接続するための第１のネットワーク接続部と、前記第１のネットワーク接続部から、インターネット上からファイルを取得するためのネットワークファイル取得部と、可搬性情報記録媒体に記録されている再生対象ファイルである主コンテンツとインターネット上から取得されたネットワークファイルである追加コンテンツとを再生する再生制御部と、を有し、前記アクセス解析装置は、前記第１の情報再生装置からのインターネット接続を受け付ける内部ネットワーク接続部と、インターネットに接続するための外部ネットワーク接続部と、インターネット接続要求を解析して、前記インターネット接続要求に含まれるインターネット接続先情報としてのネットワークファイルエントリを抽出するアクセス解析部と、前記アクセス解析部によって抽出された前記ネットワークファイルエントリを記憶するネットワークファイルエントリ記憶部と、前記外部ネットワーク接続部を介して情報を送信する第１の送受信部と、ネットワークファイルエントリ送信要求を受信したときに、前記第１の送受信部に、前記ネットワークファイルエントリ記憶部に記憶されている前記ネットワークファイルエントリを送信させる第１の中央制御部とを有し、前記第２の情報再生装置は、インターネットに接続するための第２のネットワーク接続部と、前記可搬性情報記録媒体に記録されている再生対象ファイルである主コンテンツとインターネット上から取得されたネットワークファイルである追加コンテンツとを再生する第２のプレーヤ部と、前記第２のネットワーク接続部を介して情報を送受信する第２の送受信部と、前記ネットワークファイルエントリをネットワークファイルテーブルとして記憶するネットワークファイルテーブル記憶部と、前記第２の送受信部に前記ネットワークファイルエントリ送信要求を前記アクセス解析装置宛てで送信させる処理と、前記アクセス解析装置から送信された前記ネットワークファイルエントリを用いて前記ネットワークファイルテーブルを更新させる処理とを制御する第２の中央制御部と、ネットワークファイルを記憶するネットワークファイル記憶部と、前記ネットワークファイルテーブルとして記憶されている前記ネットワークファイルエントリに基づいて、インターネット上から前記第２のネットワーク接続部を介して前記ネットワークファイルを取得し、前記取得されたネットワークファイルを前記ネットワークファイル記憶部に記憶させるネットワークファイル事前取得部とを有し、前記第２の中央制御部は、前記第２のプレーヤ部における前記可搬性情報記録媒体の再生時に、前記可搬性情報記録媒体に記録されているコンテンツアプリに基づくインターネット接続要求に含まれるネットワークファイルエントリが、前記ネットワークファイルテーブルに存在すると判断した場合に、前記ネットワークファイルテーブルに存在すると判断された前記ネットワークファイルエントリによって特定されるネットワークファイルを、前記ネットワークファイル記憶部から読み出し、前記第２のプレーヤ部に提供することを特徴とする。
【発明の効果】
【００１３】
本発明によれば、可搬性情報記録媒体に記録されているコンテンツアプリの要求に応じてインターネット上から取得されるべき追加コンテンツを事前に取得して記憶部に格納しているので、可搬性情報記録媒体の再生時に、可搬性情報記録媒体に記録されている再生対象ファイルとコンテンツアプリの要求に応じて取得されたネットワークファイルとを再生することができ、このような再生を迅速に開始することができる。
【図面の簡単な説明】
【００１４】
【図１】本発明の実施の形態１に係る映像再生システム（情報再生システム）の構成を概略的に示す図である。
【図２】実施の形態１に係る家庭用映像再生装置（第１の情報再生装置）の構成を概略的に示すブロック図である。
【図３】実施の形態１に係る車載映像再生装置（第２の情報再生装置）の構成を概略的に示すブロック図である。
【図４】実施の形態１に係る車載映像再生装置（第２の情報再生装置）が扱うネットワークファイルテーブル（ＮＦテーブル）及びネットワークファイルエントリ（ＮＦエントリ）の一例を示す図である。
【図５】実施の形態１に係る映像再生システム（情報再生システム）の動作及び情報再生方法を概略的に示すシーケンス図である。
【図６】実施の形態１に係る家庭用映像再生装置（第１の情報再生装置）における、ＮＦエントリを取得する処理を示すフローチャートである。
【図７】実施の形態１に係る家庭用映像再生装置（第１の情報再生装置）における、ＮＦエントリを車載映像再生装置（第２の情報再生装置）に送信する処理を示すフローチャートである。
【図８】実施の形態１に係る車載映像再生装置（第２の情報再生装置）における、ＮＦエントリを受信し、ＮＦテーブルに格納する処理を示すフローチャートである。
【図９】実施の形態１に係る車載映像再生装置（第２の情報再生装置）における、ＮＦテーブルに基づきネットワークファイル（ＮＦ）をダウンロードする処理を示すフローチャートである。
【図１０】実施の形態１に係る車載映像再生装置（第２の情報再生装置）における、コンテンツアプリがネットワークファイルを取得する処理を示すフローチャートである。
【図１１】実施の形態１の変形例に係る映像再生システム（情報再生システム）の構成を概略的に示す図である。
【図１２】本発明の実施の形態２に係る映像再生システム（情報再生システム）の構成を概略的に示す図である。
【図１３】実施の形態２に係る第１及び第２の車載映像再生装置（第１及び第２の情報再生装置）の構成を概略的に示すブロック図である。
【図１４】実施の形態２に係る映像再生システム（情報再生システム）の動作及び情報再生方法を概略的に示すシーケンス図である。
【図１５】実施の形態２に係る第１の車載映像再生装置（第１の情報再生装置）における、ＮＦエントリを取得する処理を示すフローチャートである。
【図１６】本発明の実施の形態３に係る映像再生システム（情報再生システム）の構成を概略的に示す図である。
【図１７】実施の形態３に係る第１及び第２の車載映像再生装置（第１及び第２の情報再生装置）の構成を概略的に示すブロック図である。
【図１８】実施の形態３に係る映像再生システム（情報再生システム）の動作及び情報再生方法を概略的に示すシーケンス図である。
【図１９】実施の形態３に係る第１の車載映像再生装置（第１の情報再生装置）における、ＮＦエントリを取得する処理を示すフローチャートである。
【図２０】実施の形態３に係る第１の車載映像再生装置（第１の情報再生装置）における、ＮＦエントリを送信する処理を示すフローチャートである。
【図２１】実施の形態４に係る映像再生システム（情報再生システム）の構成を概略的に示す図である。
【図２２】実施の形態４に係る家庭用映像再生装置（第１の情報再生装置）およびアクセス解析装置の構成を概略的に示すブロック図である。
【図２３】実施の形態４に係る家庭用映像再生装置（第１の情報再生装置）における、インターネット接続要求からＮＦエントリを取得する処理を示すフローチャートである。
【図２４】実施の形態４に係る家庭用映像再生装置（第１の情報再生装置）における、ダウンロードしたＮＦからＮＦエントリを取得する処理を示すフローチャートである。
【発明を実施するための形態】
【００１５】
《１》実施の形態１．
《１−１》実施の形態１の構成
図１は、本発明の実施の形態１に係る映像再生システム（情報再生システム）の構成を概略的に示す図である。図１に示されるように、実施の形態１に係る映像再生システム（情報再生システム）は、ネットワークとしてのインターネット７００を介して互いに通信可能な家庭用映像再生装置（第１の情報再生装置）２００と車載映像再生装置（第２の情報再生装置）１００とを有する。家庭用映像再生装置２００は、例えば、家２０の中に設置されており、移動しながら使用せず、インターネット７００と有線又は無線で通信でき、可搬性情報記録媒体としての光学ディスク（例えば、ＢＤ、ＤＶＤ、ＣＤ、ＢＤＭＶ規格に準拠したＢＤ−ＲＯＭなど）９００を再生することができる装置である。車載映像再生装置１００は、例えば、自動車１０内に設置されており、移動しながら使用することもあり、インターネット７００と無線で通信でき、可搬性情報記録媒体としての光学ディスク（例えば、ＢＤ、ＤＶＤ、ＣＤ、ＢＤＭＶ規格に準拠したＢＤ−ＲＯＭなどなど）９００を再生することができる装置である。なお、可搬性情報記録媒体は、情報再生装置に装着（挿入）及び脱着（引出し）可能な情報記録媒体であれば、磁気ディスク、半導体記憶装置などのような他の情報記録媒体であってもよい。また、家庭用映像再生装置２００に代表される第１の情報再生装置の設置場所は、屋内に限定されない。また、車載映像再生装置１００に代表される第１の情報再生装置の設置場所は、自動車に限定されず、ユーザーが持ち歩くように設計された情報再生装置、又は、他の移動体（例えば、船舶、自転車など）に設置される情報再生装置であってもよい。
【００１６】
図２は、実施の形態１に係る家庭用映像再生装置（第１の情報再生装置）２００の構成を概略的に示すブロック図である。図２に示されるように、家庭用映像再生装置（第１の情報再生装置）２００は、インターネット７００に接続するためのネットワーク接続部（第１のネットワーク接続部）２２０と、光学ディスク９００に記録されている再生対象ファイルである主コンテンツとインターネット７００上から取得されたネットワークファイルである追加コンテンツとを再生するプレーヤ部（第１のプレーヤ部）２１０と、プレーヤ部２１０における光学ディスク９００の再生時に、光学ディスク９００に記録されているコンテンツアプリに基づくインターネット接続要求に含まれるインターネット接続先情報としてのネットワークファイルエントリ（ＮＦエントリ）を抽出するアクセス解析部２３１と、アクセス解析部２３１によって抽出されたＮＦエントリを記憶するＮＦエントリ記憶部２３２と、ネットワーク接続部２２０を介して情報を送信する送信部（第１の送受信部）２３３と、ＮＦエントリ送信要求を受信したときに、送受信部２３３に、ＮＦエントリ記憶部２３２に記憶されているネットワークファイルエントリを送信させる中央制御部（第１の中央制御部）２３４とを有する。また、プレーヤ部２１０は、光学ディスクドライブ２１１と、ネットワークファイル（ＮＦ）取得部２１２と、光学ディスク９００に記録されている再生対象ファイル（主コンテンツ）、及び／又は、インターネット７００上から取得（ダウンロード）されたネットワークファイル（追加コンテンツ）を、別々に、及び／又は、互いに関連付けて（例えば、同時に重ねて又は同時に並べて）再生するコンテンツ再生部２１３と、プレーヤ部２１０の全体を制御する再生制御部２１４とを有する。なお、図２において、符号２６０は、ユーザー入力が行われる入力部（例えば、リモコン又は装置本体の操作ボタン）を示し、符号２７０は、プレーヤ部２１０から出力された映像信号に基づく画像を表示するモニタを示す。なお、家庭用映像再生装置２００は、映像再生装置付きのテレビ、又は、パーソナルコンピュータなどのように、モニタ２７０を一体的に備えてもよい。
【００１７】
次に、図２の家庭用映像再生装置２００の構成要素について詳細に説明する。プレーヤ部２１０は、光学ディスク９００の再生を行う。光学ディスク９００のコンテンツアプリがネットワークファイルの取得を要求した場合には、ネットワーク接続部２２０にＮＦ取得要求を送るが、このときＮＦ取得要求をアクセス解析部２３１にも渡す。
【００１８】
ネットワーク接続部２２０は、プレーヤ部２１０からＮＦ取得要求を受けて、インターネット７００からネットワークファイルを取得する。実施の形態１においては、ネットワーク接続部２２０はインターネットに有線通信によって接続されるが、無線通信を使用してもよい。
【００１９】
アクセス解析部２３１は、プレーヤ部２１０がインターネット接続要求を行ったときに要求内容を解析し、この要求内容がＮＦ取得要求である場合には、ネットワークファイル（ＮＦ）のＵＲＬを取得してＮＦエントリを生成し、ＮＦエントリ記憶部２３２に格納する。
【００２０】
ＮＦエントリ記憶部２３２は、アクセス解析部２３１が生成したＮＦエントリを格納し、ネットワークファイル（ＮＦ）＿ＵＲＬ送信部としての送受信部２３３から要求があれば、格納されたＮＦエントリを送受信部２３３に渡す。
【００２１】
送受信部２３３は、ＮＦエントリ送信要求を車載映像再生装置１００から受信したならば、ＮＦエントリ記憶部２３２からＮＦエントリを取得し、ネットワーク接続部２２０を通じて車載映像再生装置１００に送信する。
【００２２】
本願におけるＮＦエントリとは、１つのネットワークファイル（ＮＦ）について、当該ネットワークファイルの「ネットワークファイルＵＲＬ」、「ＮＦ記憶部１３２上のファイルパス」、「ファイル最終更新日時」、「取得日時」、「ファイルサイズ」、「取得状況」の各項目を付与して１単位とした情報であり、また、ＮＦテーブル１３４ａ（ＮＦＴ）とは、複数のＮＦエントリのそれぞれにＩＤを付与し、一覧としてまとめた単位の情報である。
【００２３】
ここで、「取得日時」とは、当該のネットワークファイルをＮＦ記憶部１３２に格納した日時を格納する項目である。当該ネットワークファイルがＮＦ記憶部１３２に格納されていない場合には、当該ネットワークファイルが未取得である旨を示す符号を格納する。
【００２４】
また、ＮＦエントリの「取得状況」項目は、各ＮＦエントリに対応するネットワークファイルについて、
（１）インターネット７００からＮＦ記憶部１３２への格納（取得）が完了していない（図４における「未取得」に対応）、
（２）インターネット７００からＮＦ記憶部１３２への格納（取得）が完了しており、かつ、取得されたネットワークファイルは、現在インターネット７００に存在するファイルと同一である（図４における「取得済」に対応）、
（３）インターネット７００からＮＦ記憶部１３２への格納（取得）は完了しているが、取得されたネットワークファイルが現在インターネット７００上で提供されているものより古いものである（図４における「未更新」に対応）、
の３通りの状態のいずれかであることを示す符号である。
【００２５】
図３は、実施の形態１に係る車載映像再生装置（第２の情報再生装置）１００の構成を概略的に示すブロック図である。また、図４は、実施の形態１に係る車載映像再生装置（第２の情報再生装置）１００のＮＦテーブル記憶部１３４が記憶するネットワークファイルテーブル（ＮＦテーブル）１３４ａ及びネットワークファイルエントリ（ＮＦエントリ）の一例を示す図である。図３に示されるように、車載映像再生装置（第２の情報再生装置）１００は、可搬性情報記録媒体としての光学ディスク９００に記録されている再生対象ファイルである主コンテンツとインターネット７００上から取得されたネットワークファイルである追加コンテンツとを再生するプレーヤ部（第２のプレーヤ部）１１０と、インターネットに接続するためのネットワーク接続部（第２のネットワーク接続部）１２０と、第２のネットワーク接続部１２０を介して情報を送受信する送受信部１３３と、ＮＦエントリをＮＦテーブル１３４ａとして記憶するＮＦテーブル記憶部１３４と、送受信部１３３にＮＦエントリ送信要求を家庭用映像再生装置２００宛てで送信させる処理と、送受信部１３３がＮＦエントリを受信したときに、受信されたＮＦエントリを用いてＮＦテーブル１３４ａを更新させる処理を制御する中央制御部（第２の中央制御部）１３７と、ネットワークファイル（ＮＦ）を記憶するＮＦ記憶部１３２と、ＮＦテーブル記憶部１３４に記憶されているＮＦエントリに基づいて、インターネット７００上からネットワーク接続部１２０を介してＮＦを取得し、取得されたＮＦをＮＦ記憶部１３２に記憶させるＮＦ事前取得部１３６とを有する。また、プレーヤ部１１０は、光学ディスクドライブ１１１と、ネットワークファイル（ＮＦ）取得部１１２と、光学ディスク９００に記録されている再生対象ファイル（主コンテンツ）、及び／又は、インターネット７００上から取得（ダウンロード）されたネットワークファイル（追加コンテンツ）を、別々に、及び／又は、互いに関連付けて（例えば、同時に重ねて又は並べて）再生するコンテンツ再生部１１３と、プレーヤ部１１０の全体を制御する再生制御部１１４とを有する。なお、図３において、符号１６０は、ユーザー入力が行われる入力部を示し、符号１７０は、プレーヤ部１１０から出力された映像信号に基づく画像を表示するモニタを示す。なお、車載映像再生装置１００は、映像再生装置付きのテレビ、又は、パーソナルコンピュータなどのように、モニタ１７０を一体的に備えてもよい。
【００２６】
中央制御部１３７は、プレーヤ部１１０における光学ディスク９００の再生時に、光学ディスク９００に記録されている再生対象ファイルに対応するＮＦエントリがＮＦテーブル１３４ａに存在すると判断した場合に、再生対象ファイルに対応するＮＦエントリによって特定されるＮＦをＮＦ記憶部１３２から読み出し、プレーヤ部１１０に提供する代理応答部１３１を含む。また、中央制御部１３７は、プレーヤ部１１０における光学ディスク９００の再生時に、光学ディスク９００に記録されている再生対象ファイルに対応するＮＦエントリがＮＦテーブル１３４ａに存在しないと判断した場合に、光学ディスク９００に記録されているコンテンツアプリに基づくインターネット接続要求に含まれるＮＦエントリによって特定されるネットワークファイルをインターネット７００上から取得し、プレーヤ部１１０に提供する。
【００２７】
プレーヤ部１１０は、光学ディスク９００から、光学ディスク９００に記録されている情報（内容）を読み出し、光学ディスク９００に記録されている再生制御指示及び入力部１６０で入力された再生制御指示に従って光学ディスク９００の再生を行う。ここで、「再生」とは、光学ディスク９００に記録されている静止画像、動画像、音声のそれぞれについて光学ディスク９００から読み出しを行い、それぞれが圧縮記録されている場合に復号を行った上で、定められた順序で重畳し、モニタ１７０に出力する動作をいう。また、再生制御指示がＪａｖａプログラム等で記述されており、このＪａｖａプログラムがインターネット７００からの情報取得指示を行った場合には、中央制御部１３７は、ネットワーク接続部１２０及び代理応答部１３１に情報取得要求を行う。
【００２８】
本願では、光学ディスク９００に、Ｊａｖａプログラムによる再生制御が記述されている場合を説明する。Ｊａｖａプログラムは、コンテンツアプリの一例である。また、コンテンツアプリの指示によってプレーヤ部１１０がインターネット７００から取得することを要求する情報が、ネットワークファイル（ＮＦ）である。
【００２９】
ネットワーク接続部１２０は、車載映像再生装置１００の外部にあるネットワークに接続するための構成要素であり、車載映像再生装置１００においては、プレーヤ部１１０、代理応答部１３１を含む中央制御部１３７、送受信部１３３、ネットワークファイル（ＮＦ）事前取得部１３６のそれぞれから、外部のネットワークとの情報の送受信要求に応じて情報の送受信を行い、受信した情報をそれぞれ要求元に提供する。ネットワーク接続部１２０は、例えば、インターネット７００に直接接続可能な携帯電話端末、又は、無線ＬＡＮ端末などのような、無線通信を可能とする端末である。また、外部のネットワークとは、インターネット７００、又は、インターネット７００と接続されているローカルエリアネットワーク（後述する図１１におけるネットワーク７１０など）である。
【００３０】
代理応答部１３１は、プレーヤ部１１０から情報取得要求Ｒ１１０を受け取ったときにＮＦテーブル記憶部１３４に格納されたＮＦテーブル１３４ａ及びネットワークファイル（ＮＦ）記憶部１３２を参照し、プレーヤ部１１０から受け取った情報取得要求Ｒ１１０に合致するネットワークファイルがＮＦ記憶部１３２に存在する場合には、ＮＦ記憶部１３２から情報取得要求Ｒ１１０に合致したネットワークファイルをプレーヤ部１１０に送信する。情報取得要求に合致するネットワークファイルがＮＦ記憶部１３２に存在しない場合には、ネットワーク接続部１２０にＮＦ取得要求を行う。
【００３１】
ＮＦ記憶部１３２は、ＮＦ事前取得部１３６によって取得されたネットワークファイルを格納し、代理応答部１３１からネットワークファイルの取得要求があったときにネットワークファイルを、代理応答部１３１を通じてプレーヤ部１１０に送信する。
【００３２】
送受信部１３３は、ＮＦエントリ取得要求Ｒ１３３を家庭用映像再生装置２００に送信するとともに、家庭用映像再生装置２００からＮＦエントリＥ２００を受信し、ＮＦテーブル記憶部１３４に格納されたＮＦテーブル１３４ａに受信したＮＦエントリＥ２００を追記格納する。
【００３３】
ＮＦテーブル記憶部１３４は、送受信部１３３によってＮＦエントリＥ２００が追記格納されたＮＦテーブル１３４ａを格納する。ＮＦテーブル１３４ａは、代理応答部１３１、送受信部１３３、ＮＦ事前取得部１３６からの要求に応じて参照される。
【００３４】
ネットワーク接続状態判定部１３５は、ネットワーク接続部１２０が現在インターネット７００に接続されているか否かを示すネットワーク接続状態判定情報をネットワーク接続部１２０から取得し、このネットワーク接続状態判定情報を、要求に応じて、代理応答部１３１、送受信部１３３、ＮＦ事前取得部１３６に提供する。
【００３５】
ＮＦ事前取得部１３６は、ＮＦテーブル記憶部１３４のＮＦテーブル１３４ａを参照し、未取得のネットワークファイルがあればネットワーク接続部１２０を通じてインターネット７００から取得を行い、ＮＦ記憶部１３２に格納する。
【００３６】
図４は、実施の形態１に係る車載映像再生装置（第２の情報再生装置）１００が扱うネットワークファイルテーブル（ＮＦテーブル）及びネットワークファイルエントリ（ＮＦエントリ）の一例を示す図である。図４に示す表は、上記を説明したＮＦテーブル１３４ａの一例である。表全体がＮＦテーブル１３４ａに相当し、表の各行がＮＦエントリに相当する。図４にしめされるように、ＮＦテーブル１３４ａは、１つのネットワークファイル（ＮＦ）について、当該ネットワークファイルの「ネットワークファイルＵＲＬ」、「ＮＦ記憶部１３２上のファイルパス」、「元ファイル最終更新日時」、「取得日時」、「ファイルサイズ」、「取得状況」の項目を含む情報を１単位とした場合に、ＮＦテーブル１３４ａは、複数のＮＦエントリのそれぞれにＩＤを付与し、一覧としてまとめた単位の情報である。
【００３７】
《１−２》実施の形態１の動作
図５は、実施の形態１に係る映像再生システム（情報再生システム）の動作及び情報再生方法を概略的に示すシーケンス図である。図５に示されるように、実施の形態１に係る映像再生システムは、互いに通信可能な第１の情報再生装置としての家庭用映像再生装置２００及び第２の情報再生装置としての車載映像再生装置１００を有するシステムである。家庭用映像再生装置２００と車載映像再生装置１００との間の通信方式は、限定されないが、家庭用映像再生装置２００と車載映像再生装置１００の各々は、通信相手となる装置を特定するための情報を予め保持している。また、映像再生システムを構成する映像再生装置の台数は２台に限定されず、３台以上であってもよい。図５において、Ｐ１１は、家庭用映像再生装置２００による可搬性情報記録媒体としてのＢＤ（光学ディスクの一例）の再生処理を示し、Ｐ１２は、車載映像再生装置１００による再生開始前の準備処理を示し、Ｐ１３は、車載用映像再生装置１００によるＢＤの再生処理を示す。
【００３８】
図５の処理Ｐ１１に示されるように、家庭用映像再生装置２００が光学ディスク９００としてのＢＤを再生するときには、家庭用映像再生装置２００は、ＢＤが挿入された後、ＮＦエントリをＮＦエントリ記憶部２３２（図２）に格納し、ＢＤに記録されているコンテンツアプリ（例えば、Ｊａｖａ（登録商標）プログラム）によるダウンロード要求にしたがって、インターネット７００にネットワークファイル（ＮＦ）のダウンロード要求を送信し、インターネット７００上のコンテンツ提供者のサーバーからネットワークファイルをダウンロードする。家庭用映像再生装置２００は、ネットワークファイルのダウンロード完了後、ＢＤに記録されている再生対象データである主コンテンツとダウンロードされたネットワークファイルに含まれる追加コンテンツとを、互いに関連付けながら（例えば、同期させて）再生して、モニタに再生信号を出力する。
【００３９】
図５の処理Ｐ１２に示されるように、車載映像再生装置１００による再生開始前の準備処理では、車載映像再生装置１００は、家庭用映像再生装置２００にＮＦエントリ送信要求を送信し、ＮＦエントリ送信要求を受信した家庭用映像再生装置２００は、ＮＦエントリを車載映像再生装置１００に送信する。ＮＦエントリを受信した車載映像再生装置１００は、受信したＮＦエントリを用いてＮＦテーブルを更新する（例えば、ＮＦエントリを追加する）。その後、車載映像再生装置１００は、インターネット７００にネットワークファイル（ＮＦ）のダウンロード要求を送信し、インターネット７００上からネットワークファイルをダウンロードし、ＮＦ記憶部に記憶する。
【００４０】
図５の処理Ｐ１３に示されるように、車載映像再生装置１００が光学ディスク９００としてのＢＤを再生するときには、車載映像再生装置１００は、ＢＤが挿入された後、ＢＤに記録されているコンテンツアプリによるダウンロード要求にしたがって、ネットワークファイル（ＮＦ）のダウンロード要求をするが、ＮＦ記憶部１３２に要求対象のネットワークファイルが存在する場合には、ＮＦ記憶部１３２に記憶されているネットワークファイルを再生のために使用する（代理応答部１３１による代理応答）。ＮＦ記憶部１３２に要求対象のネットワークファイルが存在しない場合には、代理応答できないので、インターネット７００上からネットワークファイルをダウンロードする。車載映像再生装置１００は、代理応答後、又は、ネットワークファイルのダウンロード完了後、ＢＤに記録されている再生対象データである主コンテンツとダウンロードされたネットワークファイルに含まれる追加コンテンツとを、互いに関連付けながら（例えば、同期させて）再生して、モニタに再生信号を出力する。代理応答の場合には、ＢＤ挿入からＢＤ再生の開始までに要する時間を短縮できる。
【００４１】
実施の形態１では、家庭用映像再生装置２００と車載映像再生装置１００がそれぞれインターネット７００に直接接続されており、インターネット７００を介して互いに通信可能である場合（図１の場合）、又は、家庭用映像再生装置２００と車載映像再生装置１００が同一のローカルネットワーク（例えば、ＬＡＮ）に接続されていて互いに通信可能であり、かつ、ローカルネットワークを通じてインターネット７００との通信が可能である場合（後述する図１１の場合）を説明する。
【００４２】
図６は、実施の形態１に係る家庭用映像再生装置（第１の情報再生装置）２００における、ＮＦエントリを取得する処理を示すフローチャートである。図６において、光学ディスク９００に含まれるコンテンツアプリの実行中にコンテンツアプリがインターネット７００との通信要求を起こしたとき（ステップＳ１０１）に、通信要求は、プレーヤ部２１０からネットワーク接続部２２０に渡され、コンテンツアプリの要求に従った通信が行われるが、同時に、通信要求は、プレーヤ部２１０からアクセス解析部２３１にも渡され、アクセス解析部２３１によって通信要求の内容が解析される（ステップＳ１０２）。
【００４３】
アクセス解析部２３１の解析の結果、通信要求の内容がネットワークファイルのダウンロード要求であった場合には（ステップＳ１０３）、通信要求の内容からネットワークファイルのＵＲＬを抽出し、ＮＦエントリ記憶部２３２に渡す（ステップＳ１０５）。ＮＦエントリ記憶部２３２では、渡されたネットワークファイルのＵＲＬに仮のエントリＩＤのみを付加してＮＦエントリを生成し、ＮＦエントリ記憶部２３２に格納する。これを光学ディスク９００の再生が終了するまで繰り返す（ステップＳ１０６）。なお、仮のエントリＩＤは、ＮＦエントリ記憶部２３２上で各エントリを区別するために付加するＩＤであり、車載映像再生装置１００では使用されない。
【００４４】
図７は、実施の形態１に係る家庭用映像再生装置（第１の情報再生装置）２００における、ＮＦエントリを車載映像再生装置（第２の情報再生装置１００）に送信する処理を示すフローチャートである。図７において、家庭用映像再生装置２００の送受信部２３３が車載映像再生装置１００からネットワークファイルＵＲＬ送信要求（ＮＦエントリ送信要求）を受信したとき（ステップＳ１１１）、送受信部２３３は、ＮＦエントリ記憶部２３２に格納されているＮＦエントリに含まれるＵＲＬの全てを、ネットワーク接続部２２０を通じて車載映像再生装置１００に送信する。送信が終了したＮＦエントリは、ＮＦエントリ記憶部２０２から消去する（ステップＳ１１２）。家庭用映像再生装置２００が稼働中であれば（ステップＳ１１３）、送受信部２３３が新たなネットワークファイルＵＲＬ送信要求（ＮＦエントリ送信要求）を受信するまで待機し（ステップＳ１１４）、家庭用映像再生装置２００が稼動している限り、ステップＳ１１１からステップＳ１１４までの処理を繰り返す。
【００４５】
図８は、実施の形態１に係る車載映像再生装置（第２の情報再生装置）１００における、ＮＦエントリを受信し、ＮＦテーブル１３４ａに格納する処理を示すフローチャートである。車載映像再生装置１００が稼働中に、インターネット７００に接続可能であれば（ステップＳ２０１）、送受信部１３３は、家庭用映像再生装置２００に対してＮＦエントリ送信要求を送信し（ステップＳ２０３）、家庭用映像再生装置２００からＮＦエントリを受信する（ステップＳ２０４）まで待機する。ステップＳ２０１において、インターネット７００への接続が不可能な状態であれば、車載映像再生装置１００は、インターネット７００に接続可能になるまで待機し、インターネット７００に接続可能になったとき、処理をステップＳ２０３に進める。
【００４６】
中央制御部１３７は、ステップＳ２０４で送受信部１３３がＮＦエントリを受信したら、ＮＦテーブル記憶部１３４から受信したＮＦエントリと同一のＵＲＬを持つＮＦエントリを検索し、同一のＮＦエントリがなければ受信したＮＦエントリに新規のエントリＩＤを付与し、「ＮＦ記憶部１３２上のファイルパス」、「元ファイル最終更新日時」、「取得日時」、「ファイルサイズ」の項目を空白として新規のＮＦエントリを生成、ＮＦテーブル１３４ａに追記した上でＮＦ記憶部１３２に格納する（ステップＳ２０５）。
【００４７】
ＮＦテーブル記憶部１３４に同一のＵＲＬを持つＮＦエントリがあった場合、ＮＦエントリの追記を行わず、処理を終了する。なお、図８で示される処理は、車載映像再生装置１００が稼動中は、例えば、定期的に繰り返される。
【００４８】
図９は、実施の形態１に係る車載映像再生装置（第２の情報再生装置）１００における、ＮＦテーブルに基づきネットワークファイル（ＮＦ）をダウンロードする処理を示すフローチャートである。以下の説明では、繰り返し処理の説明のために、変数として自然数の変数ｉと変数ｎを使用する。変数ｉは、繰り返し処理のカウンタであり、０以上、ｎ以下の値をとり得る。変数ｎは、変数ｉのカウントの最大値であり、ＮＦテーブル１３４ａに格納されているＮＦエントリの総数を格納する。
【００４９】
車載映像再生装置１００が稼動中に、図８に示されるＮＦテーブル１３４ａへの追記格納が行われたことを契機に（ステップＳ２１１）、ＮＦ事前取得部１３６は、ＮＦテーブル記憶部１３４からＮＦテーブル１３４ａを読み出す（ステップＳ２１２）。次に、変数Ｎは、読み出されたＮＦテーブル１３４ａに格納されているＮＦエントリの総数を格納し、変数ｉは、０で初期化される（ステップＳ２１３）。
【００５０】
ステップＳ２１４では、変数ｉの値と変数Ｎの値を比較し、変数ｉの値が変数Ｎの値より少であれば、処理をステップＳ２１５に進める。
【００５１】
ステップＳ２１４では、ＮＦテーブル１３４ａ上のｉ番目のＮＦエントリについて、「取得状況」項目が未取得であれば、ステップＳ２１６でインターネット７００に接続可能か否かを確認し、インターネット７００に接続可能であればＮＦ事前取得部１３６は、ステップＳ２１７で「ネットワークファイルＵＲＬ」に記述されているＵＲＬから、ネットワークファイルのダウンロードを行って、ＮＦ記憶部１３２に格納する。ネットワークファイルのダウンロードが完了すれば、ステップＳ２１８でｉ番目のＮＦエントリについて「取得状況」項目を「取得済」に変更し、「ＮＦ記憶部１３２上のファイルパス」項目にＮＦ記憶部１３２上でのダウンロードされたネットワークファイルの位置を、「元ファイル最終更新日時」項目には、ダウンロードされたネットワークファイルに記された最終更新日時を、「取得日時」項目には、ダウンロード完了時点での時刻を、「ファイルサイズ」項目には、ダウンロードされたネットワークファイルのファイルサイズをそれぞれ記入する。
【００５２】
最後に、変数ｉをインクリメントしてステップＳ２１４の判定に戻り、全てのＮＦエントリについてステップＳ２１５からステップＳ２１８までの処理を繰り返す。全てのＮＦエントリについて処理が行われた場合、変数ｉの値が変数Ｎの値と等しくなるためステップＳ２１４の判定が否（ＮＯ）となって処理が終了する。
【００５３】
ステップＳ２１６でインターネット７００が接続不可能と判断された場合には、それまでに更新されたＮＦエントリについては、ＮＦテーブル１３４ａを更新して、以降のファイルのダウンロードを行わずに処理を終了する。
【００５４】
以上の処理により、車載映像再生装置１００では、プレーヤ部１１０がコンテンツアプリによってネットワークファイルの取得を要求したときに、ＮＦ記憶部１３２から以下の手順でネットワークファイルを提供することが可能となる。
【００５５】
図１０は、実施の形態１に係る車載映像再生装置（第２の情報再生装置）１００における、コンテンツアプリがネットワークファイルを取得する処理を示すフローチャートである。図１０のステップＳ２２１において、コンテンツアプリの再生制御によりプレーヤ部１１０がネットワーク接続要求を行ったときに、ネットワーク接続要求は、代理応答部１３１に送られて、分析される（ステップＳ２２２）。その結果、ネットワーク接続要求がＮＦ取得要求であれば（ステップＳ２２３）、代理応答部１３１は、ＮＦテーブル記憶部１３４からＮＦテーブル１３４ａを取得し、ステップＳ２２４でＮＦ取得要求によって要求されたＵＲＬと合致するネットワークファイルＵＲＬを持つＮＦエントリがＮＦテーブル１３４ａ上に存在するか否か検索を行う。
【００５６】
ＮＦテーブル１３４ａ上にＮＦ取得要求で要求されたＵＲＬと合致するＮＦエントリが存在する場合には（ステップＳ２２４）、代理応答部１３１は、さらにＮＦエントリについて「取得状況」項目の内容を確認し（ステップＳ２２５）、取得済であれば（ステップＳ２２６においてＹＥＳ）、ＮＦエントリの「ＮＦ記憶部１３２上のファイルパス」を確認し、ＮＦ記憶部１３２から該当するネットワークファイルを読み出し、プレーヤ部１１０に提供し（ステップＳ２２６）、処理をステップＳ２２９に進める。
【００５７】
ステップＳ２２４においてＮＦテーブル１３４ａ上にＮＦ取得要求で要求されたＵＲＬと合致するＮＦエントリが存在しない場合、インターネット７００への接続が可能であれば（ステップＳ２２７）、プレーヤ部１１０は、ネットワーク接続部１２０を通じてインターネット７００からＮＦ取得を行い（ステップＳ２２８）、処理をステップＳ２２９に進める。ステップＳ２２７でインターネット７００接続が不可能と判断されたらば、ＮＦ取得を行わずに、処理をステップＳ２２９に進める。
【００５８】
ステップＳ２２９では、コンテンツアプリが実行中であるかを確認し、コンテンツアプリが実行中であれば、処理をステップＳ２２１に戻し、次のネットワーク接続要求まで待機する。コンテンツアプリが実行中でなければ、処理を終了する。
【００５９】
以上で述べた処理では、ＮＦ事前取得部１３６が動作するタイミングが車載映像再生装置１００に光学ディスク９００を挿入したタイミングと無関係である。すなわち、光学ディスク９００を車載映像再生装置１００に挿入するよりも前に光学ディスク９００のコンテンツアプリが要求するネットワークファイルを車載映像再生装置１００が取得することが可能になるため、光学ディスク９００のコンテンツアプリが要求するネットワークファイルを取得して、プレーヤ部１１０における再生を開始するまでに要する時間を短縮することができる。また、インターネット７００に接続可能なタイミングで事前にネットワークファイルを取得しているため、光学ディスク９００が車載映像再生装置１００に挿入されたときにインターネット７００接続が不可能な場合であっても、必要とするネットワークファイルが取得済である場合には、プレーヤ部１１０における再生を開始するまでに要する時間を短縮することができる。
【００６０】
なお、車載映像再生装置１００では、「インターネット７００に接続可能か」を判定するために、ネットワーク接続状態判定部１３５を使用している。
【００６１】
また、ネットワークファイルの最終更新日時を考慮して、以下のような処理を行うようにしてもよい。まず、家庭用映像再生装置２００側では、図６のステップＳ１０５において、ネットワークファイルのＵＲＬをＮＦエントリ記憶部２３２に格納するとき、ネットワークファイルが持つタイムスタンプを付加して、送受信部１３３は、ネットワークファイルＵＲＬを車載映像再生装置１００に送信する。
次に、車載映像再生装置１００側では、送受信部１３３がネットワークファイルＵＲＬをＮＦエントリとしてＮＦテーブル記憶部１３４に追記格納するとき、ネットワークファイルＵＲＬが同一のＮＦエントリに対してタイムスタンプを「ネットワークファイル最終更新日時」項目に上書きする。同時に、「取得日時」項目と上書きされた「ネットワークファイル最終更新日時」を比較し、「取得日時」項目の方が古ければ「取得状況」項目を未更新とする。ＮＦ事前取得部１３６がＮＦテーブル１３４ａの「取得状況」項目を確認する際に、「取得状況」項目が未更新であれば、ＮＦ記憶部１３２に既に当該ファイルを取得済みであっても、これを破棄して当該ファイルをインターネット７００から再度取得する。
【００６２】
《１−３》実施の形態１の効果
以上に説明したように、実施の形態１に係る映像再生システム、映像再生方法、及び映像再生装置１００によれば、光学ディスク９００に記録されているコンテンツアプリの要求に応じてインターネット上から取得されるべき追加コンテンツを事前に取得してＮＦ記憶部１３２に格納しているので、光学ディスク９００の再生時に、この光学ディスク９００に記録されている再生対象ファイルとコンテンツアプリの要求に応じて取得されたネットワークファイルとを互いに関連付けながら（例えば、同期させながら）再生することができる。また、実施の形態１に係る映像再生システム、映像再生方法、及び映像再生装置１００によれば、光学ディスク９００を映像再生装置１００に挿入してから再生が開始されるまでの時間を短縮することができる。
【００６３】
《１−４》実施の形態１の変形例
上記説明では、家庭用映像再生装置２００がネットワークファイルのタイムスタンプを取得する例を説明したが、車載映像再生装置１００のＮＦ事前取得部１３６がネットワークファイルＵＲＬ毎にネットワークファイルの提供元に問い合わせを行って、ＮＦ記憶部１３２に記憶されるネットワークファイルのタイムスタンプを取得してもよい。
【００６４】
また、図９に関する上記説明では、ＮＦ事前取得部１３６がＮＦテーブル１３４ａを参照してネットワークファイルを取得する際に、ＮＦエントリをＮＦテーブル１３４ａの登録順に取得する処理を記述したが、ＮＦエントリの取得の順番は、他の順番であってもよい。例えば、ＮＦ事前取得部１３６は、ＮＦテーブル１３４ａの生成時又は更新時に、ＮＦエントリの各々に優先順位情報を付加し、付加された優先順位情報に従う順番でネットワークファイルを取得するように構成してもよい。
また、例えば、ＮＦテーブル１３４ａのＮＦエントリの「ファイルサイズ」の項目に着目し、ファイルサイズが小さいほど、ＮＦエントリに対応するネットワークファイルをダウンロードする順番が早くなるように、ＮＦエントリの各々に優先順位情報を付加し、付加された優先順位情報に従う順番でネットワークファイルを取得するように構成してもよい。このような方法を採用することで、インターネット７００が接続可能な状態において、短時間で多くのネットワークファイルを取得することができる。
【００６５】
図１１は、実施の形態１の変形例に係る映像再生システム（情報再生システム）の構成を概略的に示す図である。図１１において、図１に示される構成要素と同一又は対応する構成要素には同じ符号を付す。図１１に示される映像再生システム（情報再生システム）は、家庭用映像再生装置２００及び車載映像再生装置１００がネットワーク７１０（例えば、ローカルエリアネットワーク（ＬＡＮ）又はワイドエリアネットワーク（ＷＡＮ）など）によって互いに通信可能であり、家庭用映像再生装置２００及び車載映像再生装置１００がネットワーク７１０を通してインターネット７００に接続されている点が、図１に示される実施の形態１に係る映像再生システム（情報再生システム）と相違する。他の点は、図１に示される映像再生システム（情報再生システム）と同じである。
【００６６】
《２》実施の形態２．
《２−１》実施の形態２の構成
図１２は、本発明の実施の形態２に係る映像再生システムの構成を概略的に示す図である。図１２において、図１（実施の形態１）に示される構成要素と同一又は対応する構成要素には、同じ符号を付す。図１２に示されるように、実施の形態２に係る映像再生システムは、第１及び第２の車載映像再生装置４００，３００の各々が、実施の形態１における家庭用映像再生装置２００と車載映像再生装置１００の両方の構成を兼ね備えている点が、実施の形態１に係る映像再生システムと相違する。
【００６７】
図１２に示されるように、実施の形態２に係る映像再生システム（情報再生システム）は、ネットワークとしてのインターネット７００を介して互いに通信可能な第１の車載映像再生装置（第１の情報再生装置）４００と第２の車載映像再生装置（第２の情報再生装置）３００とを有する。第１の車載用映像再生装置４００は、例えば、自動車４０内に設置されており、自動車４０を移動しながら使用可能であり、インターネット７００と無線通信でき、可搬性情報記録媒体としての光学ディスク（例えば、ＢＤ、ＤＶＤ、ＣＤなど）９００を再生することができる装置である。第２の車載映像再生装置３００は、第１の車載用映像再生装置４００と同様の構成を有し、例えば、自動車３０内に設置されており、自動車３０を移動させながら使用することが可能であり、インターネット７００と無線通信でき、可搬性情報記録媒体としての光学ディスク（例えば、ＢＤ、ＤＶＤ、ＣＤなど）９００を再生することができる装置である。なお、第１及び第２の車載映像再生装置４００，３００に代表される第１及び第２の情報再生装置は、車載の装置に限定されず、ユーザーが持ち歩くように設計された情報再生装置、又は、他の移動体（例えば、船舶、自転車、列車など）に設置される情報再生装置であってもよい。
【００６８】
図１３は、実施の形態２に係る第１及び第２の車載映像再生装置（第１及び第２の情報再生装置）４００，３００の構成を概略的に示すブロック図である。図１３において、図３（実施の形態１）に示される構成要素と同一又は対応する構成要素には、同じ符号を付す。実施の形態２に係る第１及び第２の車載映像再生装置４００，３００は、互いに同じ構成を持つ。図１３に示されるように、実施の形態２に係る第１及び第２の車載映像再生装置４００，３００は、アクセス解析部２３１、ＮＦエントリ記憶部２３２、及びＮＦ＿ＵＲＬを送信する送受信部２３３を有する点において、図３（実施の形態１）に示される車載映像再生装置１００と相違する。アクセス解析部２３１、ＮＦエントリ記憶部２３２、及び送受信部２３３の機能は、実施の形態１において、図２を用いて説明済みである。
【００６９】
《２−２》実施の形態２の動作
図１４は、実施の形態２に係る映像再生システム（情報再生システム）の動作及び情報再生方法を概略的に示すシーケンス図である。図１４に示されるように、実施の形態２に係る映像再生システム（情報再生システム）は、互いに通信可能な第１の情報再生装置としての第１の車載映像再生装置４００及び第２の情報再生装置としての第２の車載映像再生装置３００を有するシステムである。図１４において、Ｐ２１は、第１の車載映像再生装置４００によるＢＤ（光学ディスクの一例）の再生処理を示し、Ｐ２２は、第２の車載映像再生装置３００による再生開始前の準備処理を示し、Ｐ２３は、第２の車載映像再生装置３００によるＢＤ（光学ディスクの一例）の再生処理を示す。
【００７０】
図１４の処理Ｐ２１に示されるように、第１の車載映像再生装置４００が光学ディスク９００としてのＢＤを再生するときには、第１の車載映像再生装置４００は、ＢＤが挿入された後、ＮＦエントリをＮＦエントリ記憶部２３２（図１３）に格納し、ＢＤに記録されているコンテンツアプリによるダウンロード要求にしたがって、インターネット７００にネットワークファイル（ＮＦ）のダウンロード要求を送信し、インターネット７００上からネットワークファイルをダウンロードする。第１の車載映像再生装置４００は、ネットワークファイルのダウンロード完了後、ＢＤに記録されている再生対象データである主コンテンツとダウンロードされたネットワークファイルに含まれる追加コンテンツとを、互いに関連付けながら（例えば、同期させて）再生して、モニタに再生信号を出力する。
【００７１】
図１４の処理Ｐ２２に示されるように、第２の車載映像再生装置３００による再生開始前の準備処理では、第２の車載映像再生装置３００は、第１の車載映像再生装置４００にＮＦエントリ送信要求を送信し、ＮＦエントリ送信要求を受信した第１の車載映像再生装置４００は、ＮＦエントリを第２の車載映像再生装置３００に送信する。ＮＦエントリを受信した第２の車載映像再生装置３００は、受信したＮＦエントリを用いてＮＦテーブルを更新する（例えば、ＮＦエントリを追加する）。その後、第２の車載映像再生装置３００は、インターネット７００にネットワークファイル（ＮＦ）のダウンロード要求を送信し、インターネット７００上からネットワークファイルをダウンロードし、ネットワークファイル１３２ａをＮＦ記憶部１３２に記憶させる。
【００７２】
図１４の処理Ｐ２３に示されるように、第２の車載映像再生装置３００が光学ディスク９００としてのＢＤを再生するときには、第２の車載映像再生装置３００は、ＢＤが挿入された後、ＢＤに記録されているコンテンツアプリによるダウンロード要求にしたがって、ネットワークファイル（ＮＦ）のダウンロード要求をするが、ＮＦ記憶部１３２に要求対象のネットワークファイルが存在する場合には、ＮＦ記憶部１３２に記憶されているネットワークファイルを再生のために使用する（代理応答部１３１による代理応答）。ＮＦ記憶部１３２に要求対象のネットワークファイルが存在しない場合には、代理応答できないので、インターネット７００上からネットワークファイルをダウンロードする。第２の車載映像再生装置３００は、代理応答後、又は、ネットワークファイルのダウンロード完了後、ＢＤに記録されている再生対象データである主コンテンツとダウンロードされたネットワークファイルに含まれる追加コンテンツとを、互いに関連付けながら（例えば、同期させて）再生して、モニタに再生信号を出力する。代理応答の場合には、ＢＤ挿入からＢＤ再生の開始までに要する時間を短縮できる。
【００７３】
なお、実施の形態２では、第１の車載映像再生装置４００と第２の車載映像再生装置３００がそれぞれインターネット７００に直接接続されており、インターネット７００を介して互いに通信可能である場合（図１２の場合）、又は、第１の車載映像再生装置４００と第２の車載映像再生装置３００が同一のローカルネットワークに接続されていて互いに通信可能であり、かつ、ローカルネットワークを通じてインターネット７００との通信が可能である場合を説明する。
【００７４】
実施の形態２におけるＮＦテーブル１３４ａ、ＮＦエントリの処理については、図６〜図９に示されるプロセスと同様のプロセスによって実行される。図６〜図９における「家庭用映像再生装置」を「第１の車載映像再生装置４００」とし、図６〜図９における「車載映像再生装置」を「第２の車載映像再生装置３００」と読み替えることで、略同一となる。ただし、ネットワークファイルＵＲＬを第２の車載映像再生装置３００に送信する際に、ネットワーク接続状態判定部１３５によってネットワーク接続状態を確認する必要がある点が、実施の形態１の場合と異なる。
【００７５】
図１５は、実施の形態２に係る第１の車載映像再生装置（第１の情報再生装置）４００における、ＮＦエントリを取得する処理を示すフローチャートである。図１５に示されるように、実施の形態２におけるＮＦエントリを取得する処理は、ステップＳ１１１の前にステップＳ２０１及びＳ２０２が存在する点、ステップＳ１１３とステップＳ１１４との間にステップＳ２０３が存在する点において、図７（実施の形態１）の場合と相違する。
【００７６】
第１の車載映像再生装置４００は、ネットワーク接続状態判定部１３５によってインターネット７００への接続可能状態と判定されたら（ステップＳ２０１）、送受信部２３３は、第２の車載映像再生装置３００からのＮＦエントリ送信要求の受信を待つ。インターネット７００への接続が可能な状態でなければ、インターネット７００が接続可能になるまで待機し（ステップＳ２０２）、処理をステップＳ１１１に進める。
【００７７】
第２の車載映像再生装置３００からネットワーク送信要求を受信したならば（ステップＳ１１１）、送受信部２３３は、ＮＦエントリ記憶部２３２に記憶されているＮＦエントリを取得し、このＮＦエントリをネットワーク接続部１２０を通じて第２の車載映像再生装置３００に送信した後、送信済みのＮＦエントリをＮＦエントリ記憶部２３２から消去する（ステップＳ１１２）。
【００７８】
ステップＳ１１２の後に、第１の車載映像再生装置４００が稼働中であれば（ステップＳ１１３）、再度インターネット７００に接続が可能か否かを確認し（ステップＳ２０３）、インターネット７００に接続可能なら、送受信部２３３は、再度、第２の車載映像再生装置３００からのＮＦエントリ送信要求を待機する（ステップＳ１１４）。インターネット７００への接続が不可能ならば、処理はステップＳ２０２に進み、再びインターネット７００接続が可能になるまで待機する。ステップＳ１１３で第１の車載映像再生装置４００が稼動していなければ処理を終了する。
【００７９】
《２−３》実施の形態２の効果
以上に説明したように、実施の形態２に係る映像再生システム、映像再生方法、及び映像再生装置４００，３００によれば、光学ディスク９００に記録されているコンテンツアプリの要求に応じてインターネット上から取得されるべき追加コンテンツを事前に取得してＮＦ記憶部１３２に格納しているので、光学ディスク９００の再生時に、この光学ディスク９００に記録されている再生対象ファイルとコンテンツアプリの要求に応じて取得されたネットワークファイルとを互いに関連付けながら（例えば、同期させながら）再生することができる。また、実施の形態２に係る映像再生システム、映像再生方法、及び映像再生装置４００，３００によれば、光学ディスク９００を映像再生装置に挿入してから再生が開始されるまでの時間を短縮することができる。
【００８０】
《２−４》実施の形態２の変形例
実施の形態２の変形例として、実施の形態１と同様に、ＮＦ事前取得部１３６がネットワークファイルの最終更新日時を考慮して、取得済みのネットワークファイルについても更新があるものは、再度取得するようにしてもよい。この処理により、ＮＦ記憶部１３２に格納されたネットワークファイルとインターネット７００上のネットワークファイルを同期させることができる。
【００８１】
また、実施の形態２の変形例として、実施の形態１と同様に、ＮＦ事前取得部１３６がネットワークファイルのファイルサイズを考慮して、ファイルサイズが小さいものを優先的に取得するようにしてもよい。この処理により、インターネット７００に接続可能な短時間により多くのネットワークファイルを取得できる。
【００８２】
《３》実施の形態３．
《３−１》実施の形態３の構成
図１６は、本発明の実施の形態３に係る映像再生システム（情報再生システム）の構成を概略的に示す図である。図１６において、図１（実施の形態１）に示される構成要素と同一又は対応する構成要素には、同じ符号を付す。図１６に示されるように、実施の形態３に係る映像再生システムは、第１及び第２の車載映像再生装置（第１及び第２の情報再生装置）６００，５００の構成を簡素化した点において、実施の形態２に係る映像再生システムと相違する。
【００８３】
図１６に示されるように、実施の形態３に係る映像再生システム（情報再生システム）は、ネットワークを介して、又は、インターネット７００を介して、互いに通信可能な第１の車載映像再生装置（第１の情報再生装置）６００と第２の車載映像再生装置（第２の情報再生装置）５００とを有する。第１の車載用映像再生装置６００は、例えば、自動車６０内に設置されており、自動車６０の移動中でも使用でき、インターネット７００と無線通信でき、可搬性情報記録媒体としての光学ディスク（例えば、ＢＤ、ＤＶＤ、ＣＤなど）９００を再生することができる装置である。第２の車載映像再生装置５００は、例えば、自動車５０内に設置されており、自動車５０の移動中でも使用でき、インターネット７００と無線で通信でき、可搬性情報記録媒体としての光学ディスク（例えば、ＢＤ、ＤＶＤ、ＣＤなど）９００を再生することができる装置である。なお、第１及び第２の車載映像再生装置６００，５００に代表される第１及び第２の情報再生装置の設置場所は、自動車内に限定されず、ユーザーが持ち歩くように設計された情報再生装置、又は、他の移動体（例えば、船舶、自転車、列車など）に設置される情報再生装置であってもよい。
【００８４】
実施の形態２に係る映像再生装置４００，３００は、ＮＦエントリ記憶部とＮＦテーブル記憶部の両方を有しているが、これらの記憶内容に重複があるため、記憶部の記憶領域が無駄に使われている。実施の形態３では、ＮＦテーブル記憶部１３４をＮＦエントリ記憶部（例えば、図１３における２３２）としても使用可能な構成としている。
【００８５】
図１７は、実施の形態３に係る第１及び第２の車載映像再生装置（第１及び第２の情報再生装置）６００，５００の構成を概略的に示すブロック図である。図１７において、図１３（実施の形態２）に示される構成要素と同一又は対応する構成要素には、同じ符号を付す。図１７に示される第１及び第２の車載映像再生装置６００，５００は、ＮＦエントリ記憶部（例えば、図１３における２３２）が備えられていない点が、実施の形態２に係る車載映像再生装置４００，３００と相違する。また、アクセス解析部４３１は、取得したＮＦエントリに含まれるネットワークファイルＵＲＬを渡す宛先が、ＮＦテーブル記憶部１３４である。また、ＮＦエントリの送信は、送受信部４３３から行われる。
【００８６】
《３−２》実施の形態３の動作
図１８は、実施の形態３に係る映像再生システム（情報再生システム）の動作及び情報再生方法を概略的に示すシーケンス図である。図１７に示されるように、実施の形態３に係る映像再生システム（情報再生システム）は、互いに通信可能な第１の情報再生装置としての第１の車載映像再生装置６００及び第２の情報再生装置としての第２の車載映像再生装置５００を有するシステムである。図１８において、Ｐ３１は、第１の車載映像再生装置６００によるＢＤ（光学ディスクの一例）の再生処理を示し、Ｐ３２は、第２の車載映像再生装置５００による再生開始前の準備処理を示し、Ｐ３３は、第２の車載用映像再生装置５００によるＢＤ（光学ディスクの一例）の再生処理を示す。
【００８７】
図１８の処理Ｐ３１に示されるように、第１の車載映像再生装置６００が光学ディスク９００としてのＢＤを再生するときには、第１の車載映像再生装置６００は、ＢＤが挿入された後、ＮＦエントリをＮＦテーブル記憶部１３４（図１３）に格納し、ＢＤに記録されているコンテンツアプリによるダウンロード要求にしたがって、インターネット７００にネットワークファイル（ＮＦ）のダウンロード要求を送信し、インターネット７００上からネットワークファイルをダウンロードする。第１の車載映像再生装置６００は、ネットワークファイルのダウンロード完了後、ＢＤに記録されている再生対象データである主コンテンツとダウンロードされたネットワークファイルに含まれる追加コンテンツとを、互いに関連付けながら（例えば、同期させて）再生して、モニタに再生信号を出力する。
【００８８】
図１８の処理Ｐ３２に示されるように、第２の車載映像再生装置５００による再生開始前の準備処理では、第２の車載映像再生装置５００は、第１の車載映像再生装置６００にＮＦエントリ送信要求を送信し、ＮＦエントリ送信要求を受信した第１の車載映像再生装置６００は、ＮＦエントリを第２の車載映像再生装置５００に送信する。ＮＦエントリを受信した第２の車載映像再生装置５００は、受信したＮＦエントリを用いてＮＦテーブルを更新する（例えば、ＮＦエントリを追加する、又は、ＮＦエントリを最新のものに置き換える）。その後、第２の車載映像再生装置５００は、ネットワークファイルのダウンロード要求を発生させ、インターネット７００にネットワークファイル（ＮＦ）のダウンロード要求を送信し、インターネット７００上からネットワークファイルをダウンロードし、ＮＦ記憶部１３２に記憶させることによって、ＮＦ事前取得を実行する。
【００８９】
図１８の処理Ｐ３３に示されるように、第２の車載映像再生装置５００が光学ディスク９００としてのＢＤを再生するときには、第２の車載映像再生装置５００は、ＢＤが挿入された後、ＢＤに記録されているコンテンツアプリによるダウンロード要求にしたがって、ネットワークファイル（ＮＦ）のダウンロード要求をするが、ＮＦ記憶部１３２に要求対象のネットワークファイルが存在する場合には、ＮＦ記憶部１３２に記憶されているネットワークファイルを再生のために使用する（代理応答部１３１による代理応答）。ＮＦ記憶部１３２に要求対象のネットワークファイルが存在しない場合には、代理応答できないので、インターネット７００上からネットワークファイルをダウンロードする。第２の車載映像再生装置５００は、代理応答後、又は、ネットワークファイルのダウンロード完了後、ＢＤに記録されている再生対象データである主コンテンツとダウンロードされたネットワークファイルに含まれる追加コンテンツとを、互いに関連付けながら（例えば、同期させて）再生して、モニタに再生信号を出力する。代理応答の場合には、ＢＤ挿入からＢＤ再生の開始までに要する時間を短縮できる。
【００９０】
なお、実施の形態３では、第１の車載映像再生装置６００と第２の車載映像再生装置５００がそれぞれインターネット７００に直接接続されており、インターネット７００を介して互いに通信可能である場合（図１６の場合）、又は、第１の車載映像再生装置６００と第２の車載映像再生装置５００が家庭用映像再生装置２００と車載映像再生装置１００が同一のローカルネットワークに接続されていて互いに通信可能であり、かつ、ローカルネットワークを通じてインターネット７００との通信が可能である場合を説明する。
【００９１】
図１９は、実施の形態３に係る第１の車載映像再生装置（第１の情報再生装置）６００における、ＮＦエントリを取得する処理を示すフローチャートである。また、図２０は、実施の形態３に係る第１の車載映像再生装置（第１の情報再生装置）における、ＮＦエントリを送信する処理を示すフローチャートである。第１の車載映像再生装置６００で実行される処理（図１９、図２０）は、図６、図７で説明されているものと類似処理であるため、同一処理については、図６、図７と同一の符号を付加した。
【００９２】
まず、ＮＦエントリの生成について図１９を用いて説明する。図１９のステップＳ１０１、Ｓ１０２、Ｓ１０３では、それぞれ図６における同一符号のステップと同一の処理を行う。ステップＳ３０１において、アクセス解析部４３１は、まずプレーヤ部１１０のネットワーク接続要求を解析して得られたネットワークファイルＵＲＬについて、ＮＦテーブル記憶部１３４からＮＦテーブル１３４ａを読み出して同一のネットワークファイルＵＲＬを持つＮＦエントリが存在するか否か検索し（ステップＳ３０１）、存在しない場合には、新規のエントリＩＤを生成、ＮＦエントリとしてＮＦテーブル１３４ａに追加格納する（ステップＳ１０４）。以降のステップＳ１０６は、図６におけるステップＳ１０６と同様の処理であり、コンテンツアプリ実行中は、図１９の処理を繰り返す。
【００９３】
次に、図２０のフローにおいて、第１の車載映像再生装置６００は、第２の車載映像再生装置５００からＮＦエントリ送信要求を受信したら（ステップＳ１１１）、送受信部４３３は、ＮＦテーブル記憶部１３４に記憶されているＮＦエントリの全てを取得し、このＮＦエントリをネットワーク接続部１２０を通じて第２の車載映像再生装置５００に送信する（ステップＳ３０３）。このとき、実施の形態３においては、実施の形態２と異なり、送信済みＮＦエントリの消去は、行わない。
【００９４】
ステップＳ１１１の後、第１の車載映像再生装置４００が稼働中であれば（ステップＳ１１３）、再度、インターネット７００に接続が可能か否かを確認し（ステップＳ３０４）、インターネット７００に接続可能ならば、ＮＦエントリ送信部としての送受信部４３３は、再度、第２の車載映像再生装置５００からのＮＦエントリ送信要求を待つ（ステップＳ１１４）。インターネット７００が接続が不可能ならば、ステップＳ３０２に進み、再び、インターネット７００接続が可能になるまで待機する。ステップＳ１１３において、第１の車載映像再生装置６００が稼動していなければ当然処理を終了する。
【００９５】
なお、実施の形態３における、ＮＦエントリの受信、ＮＦの事前取得、ＮＦのプレーヤ部への提供は、実施の形態１の場合と同様である。
【００９６】
《３−３》実施の形態３の効果
以上に説明したように、実施の形態３に係る映像再生システム、映像再生方法、及び映像再生装置６００，５００によれば、光学ディスク９００に記録されているコンテンツアプリの要求に応じてインターネット上から取得されるべき追加コンテンツを事前に取得してＮＦ記憶部１３２に格納しているので、光学ディスク９００の再生時に、この光学ディスク９００に記録されている再生対象ファイルとコンテンツアプリの要求に応じて取得されたネットワークファイルとを互いに関連付けながら（例えば、同期させながら）再生することができる。また、実施の形態３に係る映像再生システム、映像再生方法、及び映像再生装置６００，５００によれば、光学ディスク９００を映像再生装置に挿入してから再生が開始されるまでの時間を短縮することができる。
【００９７】
また、実施の形態３に係る映像再生システム、映像再生方法、及び映像再生装置６００，５００によれば、実施の形態２において備えられているＮＦエントリ記憶部を省略し、ＮＦエントリの管理をＮＦテーブル記憶部に一元化することで、記憶部の数を減らし、実装コストを削減することができる。
【００９８】
《３−４》実施の形態３の変形例
実施の形態３の変形例として、実施の形態１と同様に、ＮＦ事前取得部がネットワークファイルの最終更新日時を考慮して、取得済みのネットワークファイルについても更新があるものは、再度取得するようにしてもよい。この処理により、ＮＦ記憶部１３２に格納されたネットワークファイルとインターネット７００上のネットワークファイルを同期させることができる。
【００９９】
また、実施の形態３の他の変形例として、実施の形態１と同様に、ＮＦ事前取得部がネットワークファイルのファイルサイズを考慮して、ファイルサイズが小さいものを優先的に取得するようにしてもよい。この処理により、インターネット７００に接続可能な期間が短時間であっても、多くのネットワークファイルを取得できる。
【０１００】
《４》実施の形態４．
《４−１》実施の形態４の構成
実施の形態１では、コンテンツアプリのネットワークアクセス要求を、再生装置内部で解析してＮＦＥを生成、記憶し、他の再生装置からの要求に対して提供するように構成された映像再生装置及びネットワークシステムを示した。しかし、コンテンツアプリのネットワークアクセス要求を解析する要素は必ずしも再生装置内部に存在する必要はなく、再生装置の外部装置として存在してもよい。実施の形態４では、アクセス解析を行う構成要素が映像再生装置から独立しているネットワークシステムについて説明する。
【０１０１】
図２１は、本発明の実施の形態４に係る映像再生システム（情報再生システム）の構成を概略的に示す図である。図２１において、図１（実施の形態１）に示される構成要素と同一又は対応する構成要素には、図１に示される符号と同じ符号を付す。図２１に示されるように、実施の形態４に係る映像再生システムは、実施の形態１における家庭用映像再生装置（第１の情報再生装置）２００に相当する要素として、２つの分離された構成要素、すなわち、家庭用映像再生装置（第１の情報再生装置）１２００とアクセス解析装置１１００とを備える点において、実施の形態１に係る映像再生システムと相違する。
【０１０２】
図２２は、実施の形態４に係る家庭用映像再生装置１２００とアクセス解析装置１１００の構成を概略的に示すブロック図である。図２２において、図２（実施の形態１）に示される構成要素と同一又は対応する構成要素には、図２に示される符号と同じ符号を付す。
【０１０３】
図２２における家庭用映像再生装置１２００は、図２におけるプレーヤ部２１０に含まれる構成要素と同一の構成要素２１１〜２１４に加えて、ネットワーク接続部１２２０を備えている。家庭用映像再生装置１２００の構成要素の内の、ネットワーク接続部１２２０以外の構成要素については、図２におけるプレーヤ部２１０の構成要素と同一の作用を行うため、説明を省略する。ネットワーク接続部１２２０は、ＮＦ取得部２１２からのＮＦ取得要求を受けて、アクセス解析装置１１００を介してインターネット７００からネットワークファイルを取得する。実施の形態１と同様に、ネットワーク接続部１２２０はインターネットに有線通信によって接続されるが、無線通信によって接続されてもよい。
【０１０４】
アクセス解析装置１１００は、図２における家庭用映像再生装置２００の構成要素の内のプレーヤ部２１０以外の部分における同一の構成要素２３１〜２３３に加えて、アクセス元判別部１１３１、ネットワークファイル解析部１１３２、内部ネットワーク接続部１１３３、及び外部ネットワーク接続部１１３４で構成される。アクセス解析装置１１００の構成要素の内の、アクセス元判別部１１３１、ネットワークファイル解析部１１３２、内部ネットワーク接続部１１３３、及び外部ネットワーク接続部１１３４以外の構成要素については、図２における同一符号の構成要素と同一の作用を行うため、説明を省略する。
【０１０５】
アクセス元判別部１１３１は、内部ネットワーク接続部１１３３を通過するインターネット接続要求を分析し、前記インターネット接続要求の要求元が家庭用映像再生装置１２００で実行されるコンテンツアプリか否かを判別し、要求元が前記コンテンツアプリであれば接続要求の内容をアクセス解析部２３１へ渡す。
【０１０６】
ネットワークファイル解析部１１３２は、外部ネットワーク接続部１１３４からの通信を受けてその内容を解析し、ネットワークファイルＵＲＬとして認識できる文字列が存在すれば前記文字列をＮＦエントリ記憶部２３２へ渡す。
【０１０７】
内部ネットワーク接続部１１３３は、内部ネットワーク接続部１１３３に接続されているネットワーク機器からの通信を、外部ネットワーク接続部１１３４及びアクセス元判別部１１３１へ渡すとともに、外部ネットワーク接続部１１３４からの通信を受け取って、前記ネットワーク機器へ渡す。実施の形態４においては、ネットワーク機器とは家庭用映像再生装置１２００を指す。
【０１０８】
外部ネットワーク接続部１１３４は、インターネット７００からの通信を内部ネットワーク接続部１１３３へ渡すとともに、ネットワークファイル解析部１１３２へ渡す。
【０１０９】
実施の形態４における車載映像再生装置（第２の情報再生装置）１００は、実施の形態１におけるものと同一である。
【０１１０】
《４−２》実施の形態４の動作
実施の形態４におけるアクセス解析装置１１００の動作は、実施の形態１における図６で示した動作と類似するが、次に述べる３つの相違点の違いがある。第１の相違点は、アクセス解析装置１１００はコンテンツアプリの実行状態を把握せず、アクセス解析装置１１００を介する通信の内容全般を把握する点である。第２の相違点は、インターネット接続要求の要求元がコンテンツアプリであるか否かを判定するアクセス元判別部１１３１による判定がアクセス解析部２３１の動作の前に入る点である。第３の相違点は、家庭用映像再生装置１２００からのアクセス要求だけでなく、ネットワークファイル解析部１１３２によってダウンロードしたネットワークファイルも解析対象とする点である。
【０１１１】
まず、家庭用映像再生装置１２００からのインターネットアクセスを解析してネットワークファイルエントリを生成する流れについて図２３を用いて説明する。図２３は、実施の形態４に係る家庭用映像再生装置（第１の情報再生装置）１２００における、インターネット接続要求からＮＦエントリを取得する処理を示すフローチャートである。図２３において、図６に示されるステップと同一の処理内容であるステップについては、図６に示される符号と同じ符号を付す。
【０１１２】
アクセス解析装置１１００は、動作中に常に内部ネットワーク接続部１１３３へ渡されるネットワーク接続要求の発生を待機する。内部ネットワーク接続部１１３３に通信要求が渡されたとき（ステップＳ１０１）に、通信要求は内部ネットワーク接続部１１３３から外部ネットワーク接続部１１３４に渡され、コンテンツアプリの要求に従った通信が行われるが、同時に、通信要求は、アクセス元判別部１１３１へも渡される。
【０１１３】
アクセス元判別部１１３１は、渡されたインターネット接続要求の内容を分析し（ステップＳ３０１）、コンテンツアプリからの接続要求と判断した場合には、これをアクセス解析部２３１へ渡す（ステップＳ１０２）。アクセス元判別部１１３１は、インターネット接続要求がコンテンツアプリからの接続要求でないと判断した場合には、これを破棄する。
【０１１４】
インターネット接続要求の要求元がコンテンツアプリであるか否かは、たとえば、インターネット接続要求に含まれるＵｓｅｒ−Ａｇｅｎｔ等の符号を使用して行うことができる。また、事前にアクセス解析装置１１００に対して、映像再生装置１２００が持つネットワーク上の識別符号（ＩＰアドレス等）を記憶させておき、これを元にインターネット接続要求の要求元がコンテンツアプリであるか否かを判別する方法を採用してもよい。
【０１１５】
アクセス解析部２３１の解析の結果、通信要求の内容がネットワークファイルのダウンロード要求であった場合には（ステップＳ１０３）、通信要求の内容からネットワークファイルのＵＲＬを抽出し、ＮＦエントリ記憶部２３２に渡す（ステップＳ１０５）。これ以降の動作は、図６の動作と同一とであり（ステップＳ１０４、ステップＳ１０５）、アクセス解析装置１１００の動作が継続されている限り、ステップＳ１０１からの動作を繰り返す（ステップＳ３０２）。
【０１１６】
次にネットワークファイル解析の動作について図２４を用いて説明する。図２４は、実施の形態４に係る家庭用映像再生装置（第１の情報再生装置）１２００における、ダウンロードしたＮＦからＮＦエントリを取得する処理を示すフローチャートである。アクセス解析装置１１００は、動作中は常に外部ネットワーク接続部１１３４から渡されるネットワークファイルダウンロードの発生を待機する（ステップＳ３０３）。外部ネットワーク接続部１１３４がネットワークファイルのダウンロードを開始すると、前記ダウンロードしたネットワークファイルは、ネットワークファイル解析部１１３２にも渡され、その内容が解析される（ステップＳ３０４）。
【０１１７】
前記ダウンロードしたＮＦがテキストファイルであり（ステップＳ３０４）、かつ、ＮＦ内にダウンロード対象となるファイルのＵＲＬを含む場合には、ネットワークファイル解析部１１３２は前記ＵＲＬを前記ＮＦから抽出し、これをＮＦエントリ記憶部２３２へ提供する。これ以降の動作は、図６及び図２３の動作と同様（ステップＳ３０６、Ｓ３０７）であり、アクセス解析装置１１００の動作が継続されている限り、ステップＳ３０３からの動作を繰り返す（ステップＳ３０８）。
【０１１８】
ステップＳ３０４にて、ダウンロードしたＮＦがテキストファイルとして認識できない場合には、ネットワークファイル解析部１１３２は、前記ダウンロードしたＮＦを破棄する。同様に、ステップＳ３０５において、ＮＦ内にダウンロード対象となるファイルのＵＲＬが含まれない場合には、ネットワークファイル解析部１１３２は、前記ダウンロードしたＮＦを破棄する。
【０１１９】
図２１の車載映像再生装置（第２の情報再生装置）１００の構成及び動作は、実施の形態１のものと同様である。なお、実施の形態４では、実施の形態１における「家庭用映像再生装置（第１の情報再生装置）２００に含まれる送受信部２３３」及び「家庭用映像再生装置（第１の情報再生装置）２００に含まれるＮＦエントリ記憶部２３２」という記載を、それぞれ「アクセス解析装置１１００に含まれる送受信部２３３」及び「アクセス解析装置１１００に含まれるＮＦエントリ記憶部２３２」と読み替えればよい。
【０１２０】
《４−３》実施の形態４の効果
以上に説明したように、実施の形態４に係る映像再生システム、映像再生方法、映像再生装置１００、及びアクセス解析装置１１００によれば、ＮＦエントリ提供側では既存の家庭用映像再生装置にアクセス解析装置を併設するのみで実施の形態１と同一の効果を持つシステムを実現できる。
【０１２１】
また、実施の形態４では、アクセス元判別部１１３１により、コンテンツアプリが要求するＮＦに限定してＮＦＥを生成するため、コンテンツアプリにとって不要なＮＦを車載映像再生装置（第２の情報再生装置）１００がダウンロードするのを防止し、帯域の利用効率を向上することが可能になる。
【０１２２】
また、実施の形態４では、ネットワークファイル解析部１１３２により、コンテンツアプリが実行中にダウンロード要求しなかったＮＦに対してもＮＦエントリを生成するため、車載映像再生装置（第２の情報再生装置）１００でのＮＦ再生可能な機会をより多くすることが可能になる。
【産業上の利用可能性】
【０１２３】
本発明は、無線通信によるインターネット接続機能と可搬性情報記録媒体の再生機能とを備えた、カーナビゲーションシステム、パーソナルコンピュータ、テレビ、ポータブルＢＤプレーヤなどに適用可能である。
【符号の説明】
【０１２４】
１００  車載映像再生装置（第２の情報再生装置）、  １１０  プレーヤ部（第２のプレーヤ部）、  １１１  光学ディスクドライブ、  １１２  ＮＦ取得部、  １１３  コンテンツ再生部、  １１４  再生制御部、  １２０  ネットワーク接続部（第２のネットワーク接続部）、  １３１  代理応答部、  １３２  ＮＦ記憶部、  １３３  送受信部（第２の送受信部）、  １３４  ＮＦテーブル記憶部、  １３４ａ  ＮＦテーブル、  １３５  ネットワーク接続状態判定部、  １３６  ＮＦ事前取得部、  １３７  中央制御部（第２の中央制御部）、  １６０，２６０  入力部、  １７０，２７０  モニタ、  ２００  家庭用映像再生装置（第１の情報再生装置）、  ２１０  プレーヤ部（第１のプレーヤ部）、  ２１１  光学ディスクドライブ、  ２１２  ＮＦ取得部、  ２１３  コンテンツ再生部、  ２１４  再生制御部、  ２２０  ネットワーク接続部、  ２３１  アクセス解析部、  ２３２  ＮＦエントリ記憶部、  ２３３  送受信部（第１の送受信部）、  ２３４  中央制御部（第１の中央制御部）、  ３００，５００  第２の車載映像再生装置（第２の情報再生装置）、  ４００，６００  第１の車載映像再生装置（第１の情報再生装置）、  ７００  インターネット、  ９００  光学ディスク（可搬性情報記録媒体）、  １１００  アクセス解析装置、  １２００  家庭用映像再生装置（第１の情報再生装置）、  １１３１  アクセス元判別部、  １１３２  ネットワークファイル解析部、  １１３３  内部ネットワーク接続部、  １１３４  外部ネットワーク接続部、  １２２０  ネットワーク接続部。
【図１】
0006033412.tif 000002
【図２】
0006033412.tif 000003
【図３】
0006033412.tif 000004
【図４】
0006033412.tif 000005
【図５】
0006033412.tif 000006
【図６】
0006033412.tif 000007
【図７】
0006033412.tif 000008
【図８】
0006033412.tif 000009
【図９】
0006033412.tif 000010
【図１０】
0006033412.tif 000011
【図１１】
0006033412.tif 000012
【図１２】
0006033412.tif 000013
【図１３】
0006033412.tif 000014
【図１４】
0006033412.tif 000015
【図１５】
0006033412.tif 000016
【図１６】
0006033412.tif 000017
【図１７】
0006033412.tif 000018
【図１８】
0006033412.tif 000019
【図１９】
0006033412.tif 000020
【図２０】
0006033412.tif 000021
【図２１】
0006033412.tif 000022
【図２２】
0006033412.tif 000023
【図２３】
0006033412.tif 000024
【図２４】
0006033412.tif 000025